(57)【要約】【課題】  飛び跳ねた現像剤が排出されることを防止し、現像装置内の現像剤量が増加していないにも関わらず現像剤が排出されることを防止することによって、潜像担持体に安定した現像剤の供給を行うことができる現像装置、並びにこの現像装置を備えた画像形成装置を提供する。【解決手段】  供給搬送路９の搬送方向下流端近傍の現像剤の嵩が現像剤排出口９４の高さを越えた場合に、現像剤排出口９４の高さまで到達した現像剤を、現像剤排出手段である現像剤排出口９４及び排出搬送路２によって現像装置４の外に排出する。【選択図】  図４
2008203814.tif 000002
【特許請求の範囲】
【請求項１】
現像剤を表面上に担持して回転し、潜像担持体と対向する箇所で該潜像担持体の表面の潜像にトナーを供給して現像する現像剤担持体と、
装置内に現像剤を補給する現像剤補給手段と、
該現像剤担持体に現像剤を供給しながら該現像剤担持体の軸線方向に沿って現像剤を搬送する供給搬送部材を備えた供給搬送路と、
該供給搬送路の搬送方向下流端に到達した現像剤を該供給搬送路の搬送方向上流端に搬送する循環搬送部材を備えた循環搬送路とを有する現像装置において、
該供給搬送路の搬送方向下流端近傍の現像剤の嵩が所定の高さを越えた場合に該供給搬送路の搬送方向下流端近傍の現像剤の一部を排出する現像剤排出手段を有することを特徴とする現像装置。
【請求項２】
請求項１の現像装置において、
装置内の現像剤量が増加することで上記循環搬送路内の現像剤量が増加し、該循環搬送路内に時間当りに供給される現像剤量が増加する量に比べて、該循環搬送路から上記供給搬送路へと時間当りに移動する現像剤量の増加する量が少なくなるように構成されていることを特徴とする現像装置。
【請求項３】
請求項１の現像装置において、
装置内の現像剤量が増加することで上記供給搬送路内の現像剤量が増加し、上記供給搬送手段の搬送によって該供給搬送路の搬送方向下流端近傍に時間当りに搬送される現像剤量が増加する量に比べて、該供給搬送路の搬送方向下流端から上記循環搬送路へと時間当りに移動する現像剤量の増加する量が少なくなるように構成されていることを特徴とする現像装置。
【請求項４】
請求項１、２または３の現像装置において、
上記現像剤排出手段は、
上記供給搬送路の搬送方向下流側で仕切り壁を挟んで該供給搬送路と隣り合うように配置され、該供給搬送路から排出される現像剤を搬送する排出搬送路と、
該排該仕切り壁の所定の高さに該排出搬送路と該供給搬送路とを連通するように設けられた開口である現像剤排出口とを有し、
該現像剤排出口の高さまで到達した現像剤を該現像剤排出口から該排出搬送路へ排出することを特徴とする現像装置。
【請求項５】
請求項４の現像装置において、
上記供給搬送路と上記循環搬送路とは供給循環仕切り壁を挟んで隣り合うように配置され、
該供給搬送路の搬送方向下流端の該供給循環仕切り壁に供給搬送路と該循環搬送路とを連通する開口部として供給循環連通口を設け、
該供給搬送路の搬送方向下流端に到達した現像剤が、該供給循環連通口を通って、該循環搬送路へ移動可能に構成されていることを特徴とする現像装置。
【請求項６】
請求項５の現像装置において、
上記現像剤排出口は上記供給搬送路の現像剤搬送方向について、上記供給循環連通口と同じ位置にあることを特徴とする現像装置。
【請求項７】
請求項５または６の現像装置において、
上記現像剤排出口は上記供給循環連通口よりも上方に配置されていることを特徴とする現像装置。
【請求項８】
請求項１、２、３、４、５、６または７の現像装置において、
上記供給搬送路の現像剤搬送方向最下流端に、上記供給搬送部材とは逆方向の搬送力を発生させる逆搬送部材を備えることを特徴とする現像装置。
【請求項９】
請求項８の現像装置において、
上記供給搬送部材と上記逆搬送部材との境界部に、該供給搬送部材の搬送方向に垂直で、且つ、その法線方向が該供給搬送部材の搬送方向と反対方向となり、現像剤の搬送方向への移動を妨げる下流端壁面を備えることを特徴とする現像装置。
【請求項１０】
請求項９の現像装置において、
上記供給搬送部材及び上記逆搬送部材は、回転軸と該回転軸に螺旋状に設けられた羽部とを備え、回転することにより該回転軸方向に現像剤を搬送するスクリュ状の供給スクリュ及び逆スクリュであり、
該供給スクリュよりも該逆スクリュのスクリュピッチを短くしたことを特徴とする現像装置。
【請求項１１】
請求項９または１０の現像装置において、
上記供給搬送部材及び上記逆搬送部材は、回転軸と該回転軸に螺旋状に設けられた羽部とを備え、回転することにより該回転軸方向に現像剤を搬送するスクリュ状の供給スクリュ及び逆スクリュであり、
該供給スクリュよりも該逆スクリュの羽部の外径を小さくしたことを特徴とする現像装置。
【請求項１２】
請求項９、１０または１１の現像装置において、
上記現像剤排出手段は通過した現像剤が排出される現像剤排出口を供給搬送路に備え、
該下流端壁面の上端は該現像剤排出口の下端よりも上方であることを特徴とする現像装置。
【請求項１３】
請求項９、１０、１１または１２の現像装置において、
上記現像剤排出手段は通過した現像剤が排出される現像剤排出口を供給搬送路に備え、
上記現像剤排出口の上記供給搬送路の搬送方向下流端である排出口下流端縁部の該供給搬送路の搬送方向についての位置と、上記下流端壁面の該供給搬送路の搬送方向についての位置とが一致することを特徴とする現像装置。
【請求項１４】
請求項９、１０、１１、１２または１３の現像装置において、
上記現像剤排出手段は通過した現像剤が排出される現像剤排出口を供給搬送路に備え、
上記供給搬送部材は、回転軸と該回転軸に螺旋状に設けられた羽部とを備え、回転することにより該回転軸方向に現像剤を搬送するスクリュ状の供給スクリュであり、
該現像剤排出口の下端は、該供給スクリュの羽部の上端よりも上方であることを特徴とする現像装置。
【請求項１５】
請求項１、２、３、４、５、６、７、８、９、１０、１１、１２、１３または１４の現像装置において、
現像剤として磁性キャリアとトナーとからなるニ成分現像剤を備え、
上記潜像担持体と対向する箇所を通過後の上記現像剤担持体上から回収された現像剤を該現像剤担持体の軸線方向に沿って、且つ、上記供給搬送部材と同方向に搬送する回収搬送部材を備えた回収搬送路を有し、
上記循環搬送路は、現像に用いられずに該供給搬送路の搬送方向の最下流側まで搬送された現像剤と、該回収搬送路の搬送方向の最下流側まで搬送された現像剤との供給を受け、該現像剤担持体の軸線方向に沿って、且つ、現像剤を攪拌しながら該供給搬送部材とは逆方向に搬送する上記循環搬送部材としての攪拌搬送部材を備え、攪拌後の現像剤を該供給搬送路に供給する攪拌搬送路であり、
上記現像剤補給手段は該攪拌搬送路に現像剤を補給することを特徴とする現像装置。
【請求項１６】
少なくとも潜像担持体と、
該潜像担持体表面を帯電させるための帯電手段と、
該潜像担持体上に静電潜像を形成するための潜像形成手段と、
該静電潜像を現像してトナー像化するための現像手段とを有する画像形成装置において、
該現像手段として、請求項１、２、３、４、５、６、７、８、９、１０、１１、１２、１３、１４または１５に記載の現像装置を用いることを特徴とする画像形成装置。
【請求項１７】
現像剤を表面上に担持して回転し、潜像担持体と対向する箇所で該潜像担持体の表面の潜像にトナーを供給して現像する現像剤担持体と、
装置内に現像剤を補給する現像剤補給手段と、
該現像剤担持体に現像剤を供給しながら該現像剤担持体の軸線方向に沿って現像剤を搬送する供給搬送部材を備えた供給搬送路と、
該供給搬送路の搬送方向下流端に到達した現像剤を該供給搬送路の搬送方向上流端に搬送する循環搬送部材を備えた循環搬送路とを有する現像装置において、
該供給搬送路と該循環搬送路とを含む現像剤搬送路中の現像剤の一部を該現像剤搬送路の外部に排出する現像剤排出口と、該現像剤搬送路中の規制位置を通過する現像剤の量を規制する現像剤搬送量規制手段とを備え、
該現像剤搬送量規制手段によって規制され、滞留した現像剤の量が所定量を越えた場合に該現像剤排出口から現像剤が排出されるように、該現像剤排出口を配置することを特徴とする現像装置。
【発明の詳細な説明】
【技術分野】
【０００１】
本発明は、複写機、ファクシミリ、プリンタ等に用いられる現像装置並びにこれを用いた画像形成装置に関するものである。
【背景技術】
【０００２】
従来から、トナーと磁性キャリアとを含む二成分の現像剤を用いた現像装置を備える画像形成装置が広く用いられている。この種の画像形成装置として、現像に伴ってトナーを消費する現像装置内の現像剤に対して、必要に応じてトナー収容器からトナーを補給することで、現像剤のトナー濃度を所定範囲内に維持するものがある。かかる構成では、現像剤内のキャリアは殆ど消費されず繰り返し使用されるため、画像を出力するにしたがってキャリアの表層のコート層が磨耗したり逆にコート層にトナー樹脂や添加剤が付着したりする。これにより、キャリアのトナーを帯電させる能力が徐々に低下して、キャリアが劣化した状態となる。キャリアの劣化が進行するとトナーの帯電量が低下し、地肌部汚れやトナー飛散などを引き起こすため、この種の画像形成装置では定期的にサービスマンがユーザーを訪問してキャリアの交換を行っていた。このために、メンテナンス費用がかかり画像形成の単価が高くなってしまっていた。
【０００３】
特許文献１には、キャリアとトナーとを混合したプレミックス現像剤を現像装置内の現像剤に補給してトナー濃度の回復を図りながら、増加量分の現像剤を現像装置から排出させる現像装置が記載されている。かかる構成では、現像剤の排出によって古くなったキャリアを少しずつ現像装置内から排出しつつ、プレミックス現像剤中の新しいキャリアを現像装置内の現像剤に補給する。そして、このような排出と補給とによって現像剤中のキャリアを少しずつ新たなものに交換していくことで、キャリアの交換作業を省くことができる。
また、特許文献１の現像装置では、現像剤を現像ローラに供給しながら現像ローラの軸方向に現像剤を搬送する供給搬送路の所定の高さに現像剤を装置外に排出する現像剤排出手段としての現像剤排出口を備えている。この現像装置では、プレミックス現像剤が供給され、現像装置内の現像剤量が増加すると、供給搬送路内の現像剤の嵩が高くなる。このとき、現像剤排出口を設けた位置で、現像剤排出口の高さまで到達した現像剤は現像剤排出口から現像装置外部へ排出される。
【０００４】
【特許文献１】特開２００５−２９２５１１号公報
【発明の開示】
【発明が解決しようとする課題】
【０００５】
しかしながら、特許文献１の現像装置では、供給搬送路内で現像ローラに現像剤を供給する現像剤供給領域の途中に現像剤排出口を設けている。
供給搬送路内を搬送される現像剤は移動する勢いや、現像剤に搬送力を与える搬送部材が搬送スクリュの場合はその回転する力などによって飛び跳ねて、現像剤排出口から排出されることがある。現像剤が飛び跳ねて排出される場合、供給搬送路内を搬送される現像剤が適正な量の状態や、適正な量を下回る状態であっても、飛び跳ねた現像剤が排出されるおそれがある。これは、現像装置内の現像剤量が増加していないにもかかわらず現像剤が排出される状態である。そして、現像剤が適正な量以下の状態であるにもかかわらず現像剤排出口から現像剤が排出されると、現像装置内の現像剤量が必要量を下回り、潜像担持体への現像剤の供給が不安定になるおそれがあった。潜像担持体への現像剤の供給が不安定になると、画像抜けなどの異常画像が発生するおそれがある。
このような問題は、二成分現像剤を用いた現像装置に限るものではなく、現像剤補給手段によって現像剤の補給が成され、現像装置内の現像剤の増加量分を現像剤排出手段によって排出する構成を備えた現像装置であれば一成分現像剤を用いる現像装置であっても生じ得る問題である。
【０００６】
本発明は、以上の問題に鑑みなされたものであり、その目的とするところは、飛び跳ねた現像剤が排出されることを防止し、現像装置内の現像剤量が増加していないにも関わらず現像剤が排出されることを防止することによって、潜像担持体に安定した現像剤の供給を行うことができる現像装置、並びにこの現像装置を備えた画像形成装置を提供することである。
【課題を解決するための手段】
【０００７】
上記目的を達成するために、請求項１の発明は、現像剤を表面上に担持して回転し、潜像担持体と対向する箇所で該潜像担持体の表面の潜像にトナーを供給して現像する現像剤担持体と、装置内に現像剤を補給する現像剤補給手段と、該現像剤担持体に現像剤を供給しながら該現像剤担持体の軸線方向に沿って現像剤を搬送する供給搬送部材を備えた供給搬送路と、該供給搬送路の搬送方向下流端に到達した現像剤を該供給搬送路の搬送方向上流端に搬送する循環搬送部材を備えた循環搬送路とを有する現像装置において、該供給搬送路の搬送方向下流端近傍の現像剤の嵩が所定の高さを越えた場合に該供給搬送路の搬送方向下流端近傍の現像剤の一部を排出する現像剤排出手段を有することを特徴とするものである。
また、請求項２の発明は、請求項１の現像装置において、装置内の現像剤量が増加することで上記循環搬送路内の現像剤量が増加し、該循環搬送路内に時間当りに供給される現像剤量が増加する量に比べて、該循環搬送路から上記供給搬送路へと時間当りに移動する現像剤量の増加する量が少なくなるように構成されていることを特徴とするものである。
また、請求項３の発明は、請求項１の現像装置において、装置内の現像剤量が増加することで上記供給搬送路内の現像剤量が増加し、上記供給搬送手段の搬送によって該供給搬送路の搬送方向下流端近傍に時間当りに搬送される現像剤量が増加する量に比べて、該供給搬送路の搬送方向下流端から上記循環搬送路へと時間当りに移動する現像剤量の増加する量が少なくなるように構成されていることを特徴とするものである。
また、請求項４の発明は、請求項１、２または３の現像装置において、上記現像剤排出手段は、上記供給搬送路の搬送方向下流側で仕切り壁を挟んで該供給搬送路と隣り合うように配置され、該供給搬送路から排出される現像剤を搬送する排出搬送路と、該排該仕切り壁の所定の高さに該排出搬送路と該供給搬送路とを連通するように設けられた開口である現像剤排出口とを有し、該現像剤排出口の高さまで到達した現像剤を該現像剤排出口から該排出搬送路へ排出することを特徴とするものである。
また、請求項５の発明は、請求項４の現像装置において、上記供給搬送路と上記循環搬送路とは供給循環仕切り壁を挟んで隣り合うように配置され、該供給搬送路の搬送方向下流端の該供給循環仕切り壁に供給搬送路と該循環搬送路とを連通する開口部として供給循環連通口を設け、該供給搬送路の搬送方向下流端に到達した現像剤が、該供給循環連通口を通って、該循環搬送路へ移動可能に構成されていることを特徴とするものである。
また、請求項６の発明は、請求項５の現像装置において、上記現像剤排出口は上記供給搬送路の現像剤搬送方向について、上記供給循環連通口と同じ位置にあることを特徴とするものである。
また、請求項７の発明は、請求項５または６の現像装置において、上記現像剤排出口は上記供給循環連通口よりも上方に配置されていることを特徴とするものである。
また、請求項８の発明は、請求項１、２、３、４、５、６または７の現像装置において、上記供給搬送路の現像剤搬送方向最下流端に、上記供給搬送部材とは逆方向の搬送力を発生させる逆搬送部材を備えることを特徴とするものである。
また、請求項９の発明は、請求項８の現像装置において、上記供給搬送部材と上記逆搬送部材との境界部に、該供給搬送部材の搬送方向に垂直で、且つ、その法線方向が該供給搬送部材の搬送方向と反対方向となり、現像剤の搬送方向への移動を妨げる下流端壁面を備えることを特徴とするものである。
また、請求項１０の発明は、請求項９の現像装置において、上記供給搬送部材及び上記逆搬送部材は、回転軸と該回転軸に螺旋状に設けられた羽部とを備え、回転することにより該回転軸方向に現像剤を搬送するスクリュ状の供給スクリュ及び逆スクリュであり、該供給スクリュよりも該逆スクリュのスクリュピッチを短くしたことを特徴とするものである。
また、請求項１１の発明は、請求項９または１０の現像装置において、上記供給搬送部材及び上記逆搬送部材は、回転軸と該回転軸に螺旋状に設けられた羽部とを備え、回転することにより該回転軸方向に現像剤を搬送するスクリュ状の供給スクリュ及び逆スクリュであり、該供給スクリュよりも該逆スクリュの羽部の外径を小さくしたことを特徴とするものである。
また、請求項１２の発明は、請求項９、１０または１１の現像装置において、上記現像剤排出手段は通過した現像剤が排出される現像剤排出口を供給搬送路に備え、該下流端壁面の上端は該現像剤排出口の下端よりも上方であることを特徴とするものである。
また、請求項１３の発明は、請求項９、１０、１１または１２の現像装置において、上記現像剤排出手段は通過した現像剤が排出される現像剤排出口を供給搬送路に備え、上記現像剤排出口の上記供給搬送路の搬送方向下流端である排出口下流端縁部の該供給搬送路の搬送方向についての位置と、上記下流端壁面の該供給搬送路の搬送方向についての位置とが一致することを特徴とするものである。
また、請求項１４の発明は、請求項９、１０、１１、１２または１３の現像装置において、上記現像剤排出手段は通過した現像剤が排出される現像剤排出口を供給搬送路に備え、上記供給搬送部材は、回転軸と該回転軸に螺旋状に設けられた羽部とを備え、回転することにより該回転軸方向に現像剤を搬送するスクリュ状の供給スクリュであり、該現像剤排出口の下端は、該供給スクリュの羽部の上端よりも上方であることを特徴とするものである。
また、請求項１５の発明は、請求項１、２、３、４、５、６、７、８、９、１０、１１、１２、１３または１４の現像装置において、現像剤として磁性キャリアとトナーとからなるニ成分現像剤を備え、上記潜像担持体と対向する箇所を通過後の上記現像剤担持体上から回収された現像剤を該現像剤担持体の軸線方向に沿って、且つ、上記供給搬送部材と同方向に搬送する回収搬送部材を備えた回収搬送路を有し、上記循環搬送路は、現像に用いられずに該供給搬送路の搬送方向の最下流側まで搬送された現像剤と、該回収搬送路の搬送方向の最下流側まで搬送された現像剤との供給を受け、該現像剤担持体の軸線方向に沿って、且つ、現像剤を攪拌しながら該供給搬送部材とは逆方向に搬送する上記循環搬送部材としての攪拌搬送部材を備え、攪拌後の現像剤を該供給搬送路に供給する攪拌搬送路であり、上記現像剤補給手段は該攪拌搬送路に現像剤を補給することを特徴とするものである。
また、請求項１６の発明は、少なくとも潜像担持体と、該潜像担持体表面を帯電させるための帯電手段と、該潜像担持体上に静電潜像を形成するための潜像形成手段と、該静電潜像を現像してトナー像化するための現像手段とを有する画像形成装置において、該現像手段として、請求項１、２、３、４、５、６、７、８、９、１０、１１、１２、１３、１４または１５に記載の現像装置を用いることを特徴とするものである。
また、請求項１７の発明は、現像剤を表面上に担持して回転し、潜像担持体と対向する箇所で該潜像担持体の表面の潜像にトナーを供給して現像する現像剤担持体と、装置内に現像剤を補給する現像剤補給手段と、該現像剤担持体に現像剤を供給しながら該現像剤担持体の軸線方向に沿って現像剤を搬送する供給搬送部材を備えた供給搬送路と、該供給搬送路の搬送方向下流端に到達した現像剤を該供給搬送路の搬送方向上流端に搬送する循環搬送部材を備えた循環搬送路とを有する現像装置において、該供給搬送路と該循環搬送路とを含む現像剤搬送路中の現像剤の一部を該現像剤搬送路の外部に排出する現像剤排出口と、該現像剤搬送路中の規制位置を通過する現像剤の量を規制する現像剤搬送量規制手段とを備え、該現像剤搬送量規制手段によって規制され、滞留した現像剤の量が所定量を越えた場合に該現像剤排出口から現像剤が排出されるように、該現像剤排出口を配置することを特徴とするものである。
【０００８】
上記請求項１乃至１６の現像装置においては、現像剤排出手段が、供給搬送路の搬送方向下流端近傍の現像剤の嵩が所定の高さを越えた場合にその一部を排出するものであるので、供給搬送路の搬送方向下流端近傍に、所定の高さを越えない程度の現像剤が存在する状態で現像装置内の現像量が安定した状態となる。
現像装置内に現像剤補給手段によって現像剤が供給されて現像装置内の現像剤量が増加すると、供給搬送路から循環搬送路に受け渡される現像剤量よりも供給搬送路を搬送されその搬送方向下流端に到達する現像剤量の方が多くなり、供給搬送路の搬送方向下流端近傍に滞留する現像剤の量が増加し嵩が増す。従って、滞留する現像剤が所定の高さを越した場合に、その嵩が所定の高さとなるように滞留する現像剤の一部を現像剤排出手段が排出される。ここで、滞留する現像剤は現像剤が常に移動している箇所の現像剤よりも飛び跳ねにくいので、滞留した箇所の現像剤の嵩は現像装置内の現像剤量の増減に合わせて適正に変化する。よって、現像装置内の現像剤量の必要量を確保することができる。
また、上記請求項１７の現像装置においては、現像剤排出口が現像剤搬送量規制手段で規制された現像剤が、所定量を超えた場合にその一部を排出するものであるで、規制位置の近傍では所定量を超えない程度の現像剤が存在する状態で現像装置内の現像剤量が安定した状態となる。
現像装置内に現像剤補給手段によって現像剤が供給されて現像装置内の現像剤量が増加すると、規制位置を通過する現像剤量よりも規制位置に到達する現像剤量の方が多くなり、規制位置で滞留する現像剤の量が増加する。従って、滞留する現像剤が所定量を超えた場合に、その現像剤量が所定量となるように滞留する現像剤の一部を現像剤排出口から排出する。ここで、滞留する現像剤は現像剤が常に移動している箇所の現像剤よりも飛び跳ねにくいので、滞留した箇所の現像剤量は現像装置内の現像剤量の増減に合わせて適正に変化する。よって、現像装置内の現像剤量の必要量を確保することができる。
【発明の効果】
【０００９】
請求項１乃至１６の発明によれば、現像剤が飛び跳ねにくい現像剤が滞留する箇所である供給搬送路の搬送方向下流端近傍の現像剤を排出することにより、飛び跳ねた現像剤が排出されることを防止し、現像装置内の現像剤量が増加していないにも関わらず現像剤が排出されることを防止することことができる。このため、現像装置内の現像剤量として必要量を確保することができ、現像剤担持体から潜像担持体に安定した現像剤の供給を行うことができるという優れた効果がある。
また、請求項１７の発明によれば、現像剤搬送量規制手段によって規制されて滞留し、飛び跳ねにくくなった現像剤を排出することにより、飛び跳ねた現像剤が排出されることを防止し、現像装置内の現像剤量が増加していないにも関わらず現像剤が排出されることを防止することことができる。このため、現像装置内の現像剤量として必要量を確保することができ、現像剤担持体から潜像担持体に安定した現像剤の供給を行うことができるという優れた効果がある。
【発明を実施するための最良の形態】
【００１０】
以下、本発明を適用した画像形成装置として、複数の感光体が並行配設されたタンデム型のカラーレーザー複写機（以下、単に「複写機」という）の一実施形態について説明する。
図１は、本実施形態に係る複写機の概略構成図である。この複写機はプリンタ部１００、これを載せる給紙装置２００、プリンタ部１００の上に固定されたスキャナ３００などを備えている。また、このスキャナ３００の上に固定された原稿自動搬送装置４００なども備えている。
【００１１】
プリンタ部１００は、イエロー（Ｙ）、マゼンダ（Ｍ）、シアン（Ｃ）、黒（Ｋ）の各色の画像を形成するための４組のプロセスカートリッジ１８Ｙ，Ｍ，Ｃ，Ｋからなる画像形成ユニット２０を備えている。各符号の数字の後に付されたＹ，Ｍ，Ｃ，Ｋは、イエロー、シアン、マゼンダ、ブラック用の部材であることを示している（以下同様）。プロセスカートリッジ１８Ｙ，Ｍ，Ｃ，Ｋの他には、光書込ユニット２１、中間転写ユニット１７、二次転写装置２２、レジストローラ対４９、ベルト定着方式の定着装置２５などが配設されている。
【００１２】
光書込ユニット２１は、図示しない光源、ポリゴンミラー、ｆ−θレンズ、反射ミラーなどを有し、画像データに基づいて後述の感光体の表面にレーザ光を照射する。
【００１３】
プロセスカートリッジ１８Ｙ，Ｍ，Ｃ，Ｋは、ドラム状の感光体１、帯電器、現像装置４、ドラムクリーニング装置、除電器などを有している。
【００１４】
以下、イエロー用のプロセスカートリッジ１８について説明する。
帯電手段たる帯電器によって、感光体１Ｙの表面は一様帯電される。帯電処理が施された感光体１Ｙの表面には、光書込ユニット２１によって変調及び偏向されたレーザ光が照射される。すると、照射部（露光部）の電位が減衰する。この減衰により、感光体１Ｙ表面にＹ用の静電潜像が形成される。形成されたＹ用の静電潜像は現像手段たる現像装置４Ｙによって現像されてＹトナー像となる。
Ｙ用の感光体１Ｙ上に形成されたＹトナー像は、後述の中間転写ベルト１１０に一次転写される。一次転写後の感光体１Ｙの表面は、ドラムクリーニング装置によって転写残トナーがクリーニングされる。
Ｙ用のプロセスカートリッジ１８Ｙにおいて、ドラムクリーニング装置によってクリーニングされた感光体１Ｙは、除電器によって除電される。そして、帯電器によって一様帯電せしめられて、初期状態に戻る。以上のような一連のプロセスは、他のプロセスカートリッジ１８Ｍ，Ｃ，Ｋについても同様である。
【００１５】
次に、中間転写ユニットについて説明する。
中間転写ユニット１７は、中間転写ベルト１１０やベルトクリーニング装置９０などを有している。また、張架ローラ１４、駆動ローラ１５、二次転写バックアップローラ１６、４つの一次転写バイアスローラ６２Ｙ，Ｍ，Ｃ，Ｋなども有している。
中間転写ベルト１１０は、張架ローラ１４を含む複数のローラによってテンション張架されている。そして、図示しないベルト駆動モータによって駆動される駆動ローラ１５の回転によって図中時計回りに無端移動せしめられる。
４つの一次転写バイアスローラ６２Ｙ，Ｍ，Ｃ，Ｋは、それぞれ中間転写ベルト１１０の内周面側に接触するように配設され、図示しない電源から一次転写バイアスの印加を受ける。また、中間転写ベルト１１０をその内周面側から感光体１Ｙ，Ｍ，Ｃ，Ｋに向けて押圧してそれぞれ一次転写ニップを形成する。各一次転写ニップには、一次転写バイアスの影響により、感光体と一次転写バイアスローラとの間に一次転写電界が形成される。
Ｙ用の感光体１Ｙ上に形成された上述のＹトナー像は、この一次転写電界やニップ圧の影響によって中間転写ベルト１１０上に一次転写される。このＹトナー像の上には、Ｍ，Ｃ，Ｋ用の感光体１Ｍ，Ｃ，Ｋ上に形成されたＭ，Ｃ，Ｋトナー像が順次重ね合わせて一次転写される。この重ね合わせの一次転写により、中間転写ベルト１１０上には多重トナー像たる４色重ね合わせトナー像（以下、４色トナー像という）が形成される。
中間転写ベルト１１０上に重ね合わせ転写された４色トナー像は、後述の二次転写ニップで図示しない記録体たる転写紙に二次転写される。二次転写ニップ通過後の中間転写ベルト１１０の表面に残留する転写残トナーは、図中左側の駆動ローラ１５との間にベルトを挟み込むベルトクリーニング装置９０によってクリーニングされる。
【００１６】
次に、二次転写装置２２について説明する。
中間転写ユニット１７の図中下方には、２本の張架ローラ２３によって紙搬送ベルト２４を張架している二次転写装置２２が配設されている。紙搬送ベルト２４は、少なくとも何れか一方の張架ローラ２３の回転駆動に伴って、図中反時計回りに無端移動せしめられる。２本の張架ローラ２３のうち、図中右側に配設された一方のローラは、中間転写ユニット１７の二次転写バックアップローラ１６との間に、中間転写ベルト１１０及び紙搬送ベルト２４を挟み込んでいる。この挟み込みにより、中間転写ユニット１７の中間転写ベルト１１０と、二次転写装置２２の紙搬送ベルト２４とが接触する二次転写ニップが形成されている。そして、この一方の張架ローラ２３には、トナーと逆極性の二次転写バイアスが図示しない電源によって印加される。この二次転写バイアスの印加により、二次転写ニップには中間転写ユニット１７の中間転写ベルト１１０上の４色トナー像をベルト側からこの一方の張架ローラ２３側に向けて静電移動させる二次転写電界が形成される。後述のレジストローラ対４９によって中間転写ベルト１１０上の４色トナー像に同期するように二次転写ニップに送り込まれた転写紙には、この二次転写電界やニップ圧の影響を受けた４色トナー像が二次転写せしめられる。なお、このように一方の張架ローラ２３に二次転写バイアスを印加する二次転写方式に代えて、転写紙を非接触でチャージさせるチャージャを設けてもよい。
【００１７】
複写機本体の下部に設けられた給紙装置２００には、内部に複数の転写紙を紙束の状態で複数枚重ねて収容可能な給紙カセット４４が、鉛直方向に複数重なるように配設されている。それぞれの給紙カセット４４は、紙束の一番上の転写紙に給紙ローラ４２を押し当てている。そして、給紙ローラ４２を回転させることにより、一番上の転写紙を給紙路４６に向けて送り出される。
【００１８】
給紙カセット４４から送り出された転写紙を受け入れる給紙路４６は、複数の搬送ローラ対４７と、その路内の末端付近に設けられたレジストローラ対４９とを有している。そして、転写紙をレジストローラ対４９に向けて搬送する。レジストローラ対４９に向けて搬送された転写紙は、レジストローラ対４９のローラ間に挟まれる。一方、中間転写ユニット１７において、中間転写ベルト１１０上に形成された４色トナー像は、ベルトの無端移動に伴って上記二次転写ニップに進入する。レジストローラ対４９は、ローラ間に挟み込んだ転写紙を二次転写ニップにて４色トナー像に密着させ得るタイミングで送り出す。これにより、二次転写ニップでは、中間転写ベルト１１０上の４色トナー像が転写紙に密着する。そして、転写紙上に二次転写されて、白色の転写紙上でフルカラー画像となる。このようにしてフルカラー画像が形成された転写紙は、紙搬送ベルト２４の無端移動に伴って二次転写ニップを出た後、紙搬送ベルト２４上から定着装置２５に送られる。
【００１９】
定着装置２５は、定着ベルト２６を２本のローラによって張架しながら無端移動せしめるベルトユニットと、このベルトユニットの一方のローラに向けて押圧される加圧ローラ２７とを備えている。これら定着ベルト２６と加圧ローラ２７とは互いに当接して定着ニップを形成しており、紙搬送ベルト２４から受け取った転写紙をここに挟み込む。ベルトユニットにおいける２本のローラのうち、加圧ローラ２７から押圧される方のローラは、内部に図示しない熱源を有しており、これの発熱によって定着ベルト２６を加圧する。加圧された定着ベルト２６は、定着ニップに挟み込まれた転写紙を加熱する。この加熱やニップ圧の影響により、フルカラー画像が転写紙に定着せしめられる。
【００２０】
定着装置２５内で定着処理が施された転写紙は、プリンタ筐体の図中左側板の外側に設けたスタック部５７上にスタックされるか、もう一方の面にもトナー像を形成するために上述の二次転写ニップに戻されるかする。
【００２１】
図示しない原稿のコピーがとられる際には、例えばシート原稿の束が原稿自動搬送装置４００の原稿台３０上セットされる。但し、その原稿が本状に閉じられている片綴じ原稿である場合には、コンタクトガラス３２上にセットされる。このセットに先立ち、複写機本体に対して原稿自動搬送装置４００が開かれ、スキャナ３００のコンタクトガラス３２が露出される。この後、閉じられた原稿自動搬送装置４００によって片綴じ原稿が押さえられる。
【００２２】
このようにして原稿がセットされた後、図示しないコピースタートスイッチが押下されると、スキャナ３００による原稿読取動作がスタートする。但し、原稿自動搬送装置４００にシート原稿がセットされた場合には、この原稿読取動作に先立って、原稿自動搬送装置４００がシート原稿をコンタクトガラス３２まで自動移動させる。原稿読取動作では、まず、第１走行体３３と第２走行体３４とがともに走行を開始し、第１走行体３３に設けられた光源から光が発射される。そして、原稿面からの反射光が第２走行体３４内に設けられたミラーによって反射せしめられ、結像レンズ３５を通過した後、読取センサ３６に入射される。読取センサ３６は、入射光に基づいて画像情報を構築する。
【００２３】
このような原稿読取動作と並行して、各プロセスカートリッジ１８Ｙ，Ｍ，Ｃ，Ｋ内の各機器や、中間転写ユニット１７、二次転写装置２２、定着装置２５がそれぞれ駆動を開始する。そして、読取センサ３６によって構築された画像情報に基づいて、光書込ユニット２１が駆動制御されて、各感光体４０Ｙ，Ｍ，Ｃ，Ｋ上に、Ｙ，Ｍ，Ｃ，Ｋトナー像が形成される。これらトナー像は、中間転写ベルト１１０上に重ね合わせ転写された４色トナー像となる。
【００２４】
また、原稿読取動作の開始とほぼ同時に、給紙装置２００内では給紙動作が開始される。この給紙動作では、給紙ローラ４２の１つが選択回転せしめられ、ペーパーバンク４３内に多段に収容される給紙カセット４４の１つから転写紙が送り出される。送り出された転写紙は、分離ローラ４５で１枚ずつ分離されて反転給紙路４６に進入した後、搬送ローラ対４７によって二次転写ニップに向けて搬送される。このような給紙カセット４４からの給紙に代えて、手差しトレイ５１からの給紙が行われる場合もある。この場合、手差し給紙ローラ５０が選択回転せしめられて手差しトレイ５１上の転写紙を送り出した後、分離ローラ５２が転写紙を１枚ずつ分離してプリンタ部１００の手差し給紙路５３に給紙する。
【００２５】
本複写機は、２色以上のトナーからなる他色画像を形成する場合には、中間転写ベルト１１０をその上部張架面がほぼ水平になる姿勢で張架して、上部張架面に全ての感光体１Ｙ，Ｍ，Ｃ，Ｋを接触させる。これに対し、Ｋトナーのみからなるモノクロ画像を形成する場合には、図示しない機構により、中間転写ベルト１１０を図中左下に傾けるような姿勢にして、その上部張架面をＹ，Ｍ，Ｃ用の感光体１Ｙ，Ｍ，Ｃから離間させる。そして、４つの感光体１Ｙ，Ｍ，Ｃ，Ｋのうち、Ｋ用の感光体１Ｋだけを図中反時計回りに回転させて、Ｋトナー像だけを作像する。この際、Ｙ，Ｍ，Ｃについては、感光体１だけでなく、現像器も駆動を停止させて、感光体や現像剤の不要な消耗を防止する。
【００２６】
本複写機は、複写機内の下記機器の制御を司るＣＰＵ等から構成される図示しない制御部と、液晶ディスプレイや各種キーボタン等などから構成される図示しない操作表示部とを備えている。操作者は、この操作表示部に対するキー入力操作により、制御部に対して命令を送ることで、転写紙の片面だけに画像を形成するモードである片面プリントモードについて、３つのモードの中から１つを選択することができる。この３つの片面プリントモードとは、ダイレクト排出モードと、反転排出モードと、反転デカール排出モードとからなる。
【００２７】
図２は、４つプロセスカートリッジ１８Ｙ，Ｍ，Ｃ，Ｋのうちの１つが備える現像装置４及び感光体１を示す拡大構成図である。４つのプロセスカートリッジ１８Ｙ，Ｍ，Ｃ，Ｋは、それぞれ扱うトナーの色が異なる点の他がほぼ同様の構成になっているので、同図では「４」に付すＹ，Ｍ，Ｃ，Ｋという添字を省略している。
図２に示すように感光体１は図中矢印Ｇ方向に回転しながら、その表面を不図示の帯電装置により帯電される。帯電された感光体１の表面は不図示の露光装置より照射されたレーザ光により静電潜像を形成された潜像に現像装置４からトナーを供給され、トナー像を形成する。
【００２８】
現像装置４は、図中矢印Ｉ方向に表面移動しながら感光体１の表面の潜像にトナーを供給し、現像する現像剤担持体としての現像ローラ５を有している。また、現像ローラ５に現像剤を供給しながら図２の奥方向に現像剤を搬送する供給搬送部材としての供給スクリュ８を有している。
現像ローラ５の供給スクリュ８との対向部から表面移動方向下流側には、現像ローラ５に供給された現像剤を現像に適した厚さに規制する現像剤規制部材としての現像ドクタ１２を備えている。
現像ローラ５の感光体１との対向部である現像部から表面移動方向下流側には、現像部を通過した現像済みの現像剤を回収し、回収した回収現像剤を供給スクリュ８と同方向に搬送する回収搬送部材としての回収スクリュ６を備えている。供給スクリュ８を備えた供給搬送路９は現像ローラ５の横方向に、回収スクリュ６を備えた回収搬送路としての回収搬送路７は現像ローラ５の下方に並設されている。
【００２９】
現像装置４は、供給搬送路９の下方で回収搬送路７に並列して、攪拌搬送路１０を設けている。攪拌搬送路１０は、現像剤を攪拌しながら供給スクリュ８とは逆方向である図中手前側に搬送する攪拌搬送部材としての攪拌スクリュ１１を備えている。
供給搬送路９と攪拌搬送路１０とは仕切り部材としての第一仕切り壁１３３によって仕切られている。第一仕切り壁１３３の供給搬送路９と攪拌搬送路１０とを仕切る箇所は図中手前側と奥側との両端は開口部となっており、供給搬送路９と攪拌搬送路１０とが連通している。
なお、供給搬送路９と回収搬送路７とも第一仕切り壁１３３によって仕切られているが、第一仕切り壁１３３の供給搬送路９と回収搬送路７とを仕切る箇所には開口部を設けていない。
また、攪拌搬送路１０と回収搬送路７との２つの搬送路は仕切り部材としての第二仕切り壁１３４によって仕切られている。第二仕切り壁１３４は、図中手前側が開口部となっており、攪拌搬送路１０と回収搬送路７とが連通している。
現像剤搬送部材のうちの供給搬送部材である供給スクリュ８、回収スクリュ６及び攪拌スクリュ１１は樹脂もしくは金属のスクリュからなっており各スクリュ径は全てφ２２［ｍｍ］でスクリュピッチは供給スクリュが５０［ｍｍ］の２条巻き、回収スクリュ６及び攪拌スクリュ１１が２５［ｍｍ］の１条巻き、回転数は全て約６００［ｒｐｍ］に設定している。
【００３０】
現像ローラ５上にステンレスからなる現像ドクタ１２によって薄層化された現像剤を感光体１との対抗部である現像領域まで搬送し現像を行う。現像ローラ５の表面はＶ溝あるいはサンドブラスト処理されておりφ２５［ｍｍ］のＡｌもしくはＳＵＳ素管からなり、現像ドクタ１２及び感光体１とのギャップは０．３［ｍｍ］程度となっている。
現像後の現像剤は回収搬送路７にて回収を行い、図２中の断面手前側に搬送され、非画像領域部に設けられた第一仕切り壁１３３の開口部で、攪拌搬送路１０へ現像剤が移送される。なお、攪拌搬送路１０における現像剤搬送方向上流側の第一仕切り壁１３３の開口部の付近で攪拌搬送路１０の上側に設けられたトナー補給口から攪拌搬送路１０にトナーが供給される。
【００３１】
次に、３つの現像剤搬送路内での現像剤の循環について説明する。
図３は現像剤搬送路内の現像剤の流れを説明する現像装置４の斜視断面図である。図中の各矢印は現像剤の移動方向を示している。
また、図４は、現像装置４内の現像剤の流れの模式図であり、図３と同様、図中の各矢印は現像剤の移動方向を示している。
【００３２】
攪拌搬送路１０から現像剤の供給を受けた供給搬送路９では、現像ローラ５に現像剤を供給しながら、供給スクリュ８の搬送方向下流側に現像剤を搬送する。そして、現像ローラ５に供給され現像に用いられず供給搬送路９の搬送方向下流端まで搬送された余剰現像剤は第一仕切り壁１３３の余剰開口部９２より攪拌搬送路１０に供給される（図４中矢印Ｅ）。
現像ローラ５から回収搬送路７に送られ、回収スクリュ６によって回収搬送路７の搬送方向下流端まで搬送された回収現像剤は第二仕切り壁１３４の回収開口部９３より攪拌搬送路１０に供給される（図４中矢印Ｆ）。
そして、攪拌搬送路１０は、供給された余剰現像剤と回収現像剤とを攪拌し、攪拌スクリュ１１の搬送方向下流側であり、供給スクリュ８の搬送方向上流側に搬送し、第一仕切り壁１３３の供給開口部９１より供給搬送路９に供給される（図４中矢印Ｄ）。
攪拌搬送路１０では攪拌スクリュ１１によって、回収現像剤、余剰現像剤及び移送部で必要に応じて補給されるトナーを、回収搬送路７及び供給搬送路９の現像剤と逆方向に攪拌搬送する。そして、搬送方向下流側で連通している供給搬送路９の搬送方向上流側に攪拌された現像剤を移送する。なお、攪拌搬送路１０の下方には、不図示のトナー濃度センサが設けられ、センサ出力により不図示のトナー補給制御装置を作動し、不図示のトナー収容部からトナー補給を行っている。
【００３３】
図４に示す現像装置４では、供給搬送路９と回収搬送路７とを備え、現像剤の供給と回収とを異なる現像剤搬送路で行うので、現像済みの現像剤が供給搬送路９に混入することがない。よって、供給搬送路９の搬送方向下流側ほど現像ローラ５に供給される現像剤のトナー濃度が低下することを防止することができる。また、回収搬送路７と攪拌搬送路１０とを備え、現像剤の回収と攪拌とを異なる現像剤搬送路で行うので、現像済みの現像剤が攪拌の途中に落ちることがない。よって、十分に攪拌がなされた現像剤が供給搬送路９に供給されるため、供給搬送路９に供給されるの現像剤が攪拌不足となることを防止することができる。このように、供給搬送路９内の現像剤のトナー濃度が低下することを防止し、供給搬送路９内の現像剤が攪拌不足となることを防止することができるので現像時の画像濃度を一定にすることができる。
【００３４】
なお、図４に示すように、現像装置４の下部から上部への現像剤の移動は矢印Ｄのみである。矢印Ｄで示す現像剤の移動は、攪拌スクリュ１１の回転で現像剤を押し込むことにより、現像剤を盛り上がらせて供給搬送路９に現像剤を供給するものである。
このような現像剤の移動は、現像剤に対してストレスを与えることになり、現像剤の寿命低下の一因となる。
このような、現像剤を下方から上方に持ち上げる際に現像剤にストレスがかかり現像剤中のキャリアの膜削れやトナーのスペント化がその個所で発生し、それに伴い画像品質の安定性が保たれなくなってしまう。
よって、矢印Ｄで示す現像剤の移動における現像剤のストレスを軽減することで現像剤の長寿命化を図ることが出来る。現像剤の長寿命化を図ることにより、現像剤の劣化を防止して常に画像濃度ムラの無い画像品質の安定した現像装置を提供することができる。
【００３５】
本実施形態の現像装置４では、図２に示すように、供給搬送路９を攪拌搬送路１０の斜め上方になるように配置している。斜め上方に配置することにより、供給搬送路９を攪拌搬送路１０の垂直上方に設け現像剤を持ち上げるものに比べて、矢印Ｄで示す現像剤の移動における現像剤のストレスを軽減することができる。
さらに、現像装置４では、供給搬送路９と攪拌搬送路１０とを斜めに配置することで、図２に示すように、攪拌搬送路１０の上部壁面が供給搬送路９の下部壁面よりも高い位置となるように配置している。
供給搬送路９を攪拌搬送路１０に対して垂直上方に持ち上げることは、重力に逆らって現像剤を攪拌スクリュ１１の圧によって持ち上げるので現像剤にストレスがかかる。一方、攪拌搬送路１０の上部壁面が供給搬送路９の下部壁面よりも高い位置となるように配置することで、攪拌搬送路１０の最高点に存在する現像剤が供給搬送路９の最下点に重力に逆らわず流れ込むことができるので、現像剤にかかるストレスを低減することができる。
なお、攪拌搬送路１０の現像剤搬送路下流側の、攪拌搬送路１０と供給搬送路９とが連通している部分の攪拌スクリュ１１の軸にフィン部材を設けても良い。このフィン部材は攪拌スクリュ１１の軸方向に平行な辺と、攪拌スクリュの軸方向に垂直な辺とから構成される板状の部材である。このフィン部材で現像剤を掻き上げることにより、攪拌搬送路１０から供給搬送路９へ、より効率的な現像剤の受渡しを行うことができる。
【００３６】
また、現像装置４では、現像ローラ５と供給搬送路９との中心間距離Ａが、現像ローラ５と攪拌搬送路１０との中心間距離Ｂよりも短くなるように、供給搬送路９と攪拌搬送路１０とを配置している。これにより供給搬送路９から現像ローラ５に現像剤を無理無く供給することができ、装置の小型化を図ることもできる。
また、攪拌スクリュ１１は、図２中の手前側から見て反時計回り方向（図中矢印Ｃ方向）に回転しており、現像剤は攪拌スクリュ１１の形状に沿って現像剤を持ち上げて供給搬送路９に移送させている。これにより、現像剤を効率良く持ち上げることが可能となり現像剤にかかるストレスもより低減することができる。
【００３７】
図５は、現像装置４の供給スクリュ８の回転中心における断面を図３中の矢印Ｊ方向から見た断面説明図である。図中Ｈは、現像剤担持体である現像ローラ５が、潜像担持体である感光体１にトナーを供給する現像領域を示している。この現像領域Ｈの現像ローラ５の回転軸の軸線方向の幅が現像領域幅αである。
図５に示すように、現像装置４は攪拌搬送路１０から供給搬送路９に現像剤を持ち上げる箇所である供給開口部９１と、供給搬送路９から攪拌搬送路１０に現像剤を落下させる余剰開口部９２とがともに現像領域幅α内に設けられている。
【００３８】
図６は、図４とは異なる構成の現像装置４内の現像剤の流れの模式図である。
図６に示す現像装置４は、供給開口部９１と余剰開口部９２とを現像領域幅αの外側に設けている。供給開口部９１を現像領域幅αの外側に設けているため、供給搬送路９の搬送方向上流側は現像ローラ５よりも供給搬送路上流側領域β分長くなっている。また、余剰開口部９２を現像領域幅αの外側に設けているため、供給搬送路９の搬送方向下流側は現像ローラ５よりも供給搬送路下流側領域γ分長くなっている。
【００３９】
一方、図４に示す構成の現像装置４では、供給開口部９１を現像領域幅α内に設けているため、供給搬送路９の搬送方向上流側は図６の現像装置４よりも供給搬送路上流側領域β分短くすることができる。また、余剰開口部９２を現像領域幅α内に設けているため、供給搬送路９の搬送方向下流側は図６の現像装置４よりも供給搬送路下流側領域γ分短くすることができる。
このように、図４の現像装置４は供給開口部９１と余剰開口部９２とを現像領域幅α内に設けているため、図６に示す現像装置４に比べて、現像装置４の上部の省スペース化を図ることが出来る。
【００４０】
次に、現像装置４の供給搬送路９、攪拌搬送路１０及び回収搬送路７からなる現像剤搬送路へのトナーを補給する位置について説明する。図７は、現像装置４の外観斜視図である。
図７に示すように、トナーを補給するトナー補給口９５を攪拌スクリュ１１を備える攪拌搬送路１０の搬送方向上流端部の上方に設けている。このトナー補給口９５は現像ローラ５の幅方向端部よりも外側に設けてあるので、現像領域幅αよりも外側となっている。
この、トナー補給口９５を設けた箇所は供給搬送路９の搬送方向の延長線上であり、図６における供給搬送路下流側領域γの空いたスペースに該当する。余剰開口部９２を現像領域幅α内に設けることで空いたスペースにトナー補給口９５を設けることにより、現像装置４の小型化を図ることが出来る。
また、トナー補給口９５としては、攪拌搬送路１０の搬送方向上流端部の上方に限らず、回収搬送路７の下流端部の上方に設けても良い。
さらに、回収搬送路７から攪拌搬送路１０へ現像剤の受渡しを行う箇所である回収開口部９３の真上にトナー補給口９５を設けるようにしても良い。回収開口部９３の真上のスペースも余剰開口部９２を現像領域幅α内に設けることで空いたスペースであるので、この位置にトナー補給口９５を設けることにより、現像装置４の小型化を図ることができる。さらに、受渡し部である回収開口部９３では現像剤が混ざりやすいため、この位置で補給を行うことによりより効率よく現像剤の攪拌を行うことができる。
【００４１】
図４を用いて説明した現像装置４のように、攪拌搬送路１０の搬送方向下流端から供給搬送路９の搬送方向上流端に現像剤を受け渡す供給開口部９１と、供給搬送路９の下流端から攪拌搬送路１０の搬送方向上流端に現像剤を受け渡す余剰開口部９２とを現像領域幅α内に設けているため、従来の現像装置４に比べて、現像装置４の上部の省スペース化を図ることが出来、現像装置４全体の省スペース化を図ることが出来る。
また、余剰開口部９２を現像領域幅α内に設けることで空いたスペースにトナー補給口９５を設けることにより、現像装置４の小型化を図ることが出来る。
また、回収搬送路７から攪拌搬送路１０への現像剤の受渡し部である回収開口部９３の上方からトナー補給を行うことによりより効率よく現像剤の攪拌を行うことができる。
また、画像形成装置としての複写機のプリンタ部１００の現像手段として、現像装置４を備えることにより、装置全体の省スペース化を図ることが出来る。
【００４２】
次に、本実施形態の現像装置４の特徴部について説明する。
現像剤補給手段である不図示のトナー補給制御装置は、不図示のトナー収容部内のトナーをトナー補給口９５から現像装置４に補給する。本実施形態の現像装置４では現像装置４のトナー補給口９５からトナーとキャリアとを含む現像剤が補給される。以降、現像装置４に補給されるトナーとキャリアとが混合された現像剤をプレミックストナーと称する。
また、供給搬送路９には、供給搬送路９内の現像剤が所定の嵩を越えた場合にその一部を現像装置４の外部に排出する現像剤排出手段として、排出搬送路２と現像剤排出口９４とを有する。排出搬送路２は、供給搬送路９の搬送方向下流側で仕切り壁１３５を挟んで供給搬送路９と隣り合うように配置され、現像剤排出口９４は供給搬送路９と排出搬送路２とを連通するように仕切り壁１３５に設けられた開口である。
そして、本実施形態の現像装置４は、図４に示すように、供給搬送路９の搬送方向下流端近傍に現像剤排出口９４を配置して、供給搬送路９の搬送方向下流端近傍の現像剤が所定量の嵩を越えた場合にその一部を排出する。
なお、供給搬送路９の搬送方向下流端近傍とは、例えば、供給搬送路９から攪拌搬送路１０へと現像剤が受け渡される現像剤受渡し部と供給搬送路９の搬送方向で同位置となる箇所である。言い換えると、供給スクリュ８による搬送力が終了するところであり、後述する逆スクリュによる搬送力がかかる直前部分のことである。ここに現像剤排出口９４を設けることにより、供給スクリュ８によって搬送された後、逆スクリュの搬送力により受け止められ、最終的にたまった現像剤を現像剤排出口９４から排出することが可能になる。また、現像装置４では逆スクリュがついているが、供給スクリュ８によって搬送された現像剤が現像剤排出口９４の位置で溜まるように搬送力が途切れれば良いため、供給搬送路９の最下流側端面は壁状となっていてもかまわない。
【００４３】
図８は、現像装置４から攪拌スクリュ１１、回収スクリュ６、及び、現像ドクタ１２を取り外した状態の手前側端部近傍の斜視説明図である。また、図９は、現像装置４について図８の状態からさらに供給スクリュ８を取り外した状態の手前側近傍を図９とは異なる方向から見た斜視説明図である。さらに、図１０は、現像装置４について図９の状態からさらに現像ローラ５を取り外した状態の斜視説明図である。また、図１１は、現像装置４について図１０と同じ状態の現像装置４を図３と略同じ方向から見た場合の斜視説明図である。
【００４４】
供給スクリュ８の回転方向は、図２でいうところの右回り（矢印Ｍの方向）であって、現像ローラ５に対して現像剤を下方から持ち上げて供給する方向に回転している。ここで、供給スクリュ８の回転方向を左回りにし、現像剤を上から振り掛けるようにして現像ローラ５に現像剤を供給すると、現像剤が飛び散りながら現像ローラ５に供給される。一方、供給スクリュ８の回転方向を図２に示すように右回りにすると、現像剤がたまっている供給搬送路９の下方から現像剤を持ち上げるようにして現像ローラ５に現像剤が供給されるようになる。現像剤が飛び散りながら供給するよりも、下方から持ち上げるようにして供給するほうが現像剤の供給性が安定するため、現像装置４では供給スクリュ８の回転方向を図２でいうところの右回りに設定している。
特に本実施形態の現像装置４のように現像ローラ５に供給した現像剤を供給搬送路９へ戻さず、回収搬送路７へ回収するものでは、現像剤量は供給搬送路９の下流に行くにしたがって減少していく。このため、現像剤がたまっている下方からくみ上げて現像ローラ５に供給するもののほうが現像剤の供給性の面では優れている。
【００４５】
ここで、供給搬送路９内では、搬送されることで供給搬送路９内を移動する勢いや、現像剤搬送スクリュである供給スクリュ８の回転する力によって供給搬送路９内の現像剤は飛び跳ねる。そして、現像剤搬送路である供給搬送路９の所定の高さに現像剤排出口９４を設けただけの構成であると、飛び跳ねた現像剤が飛翔して現像剤排出口９４を通過して排出されることがある。現像剤が飛び跳ねて排出される場合、供給搬送路９内の現像剤排出口９４を設けた位置を搬送される現像剤が適正な量の状態や、適正な量を下回る状態であっても、飛び跳ねた現像剤が排出されるおそれがある。このように飛び跳ねた現像剤が排出される状態であると、現像装置４内の現像剤が適正な量以下の状態であるにもかかわらず現像剤排出口から現像剤が排出されることがあり、現像装置４内の現像剤量が必要量を下回り、感光体１への現像剤の供給が不安定になるおそれがある。そして、感光体１への現像剤の供給が不安定になると画像抜けなどの異常画像が発生する。
【００４６】
このような不具合を防止するために、現像装置４は、現像剤搬送部材のうちの供給搬送部材である供給スクリュ８が現像剤を搬送するために回転することによって飛翔した現像剤が現像剤排出口９４に向かう経路を塞ぐ飛翔現像剤排出防止部材として、ブロック部材３を備えている。ブロック部材３を備え、供給スクリュ８の搬送動作によって飛翔した現像剤が現像剤排出口９４へ向かう経路を塞ぐため、飛び跳ねた現像剤が排出されることを防止し、現像装置４内の現像剤量が増加していないにもかかわらず現像剤が排出されることを防止することができる。このため、現像装置４内の現像剤の必要量を確保することができ、感光体１に安定した現像剤の供給を行うことができる。これにより、感光体１上の静電潜像を良好にトナー像化することができ、画像抜けなどの異常画像の発生を防止し、良好な画像形成を行うことができる。
【００４７】
ブロック部材３は、その底面が供給搬送路９の上部に供給スクリュ８の形状に沿ったＲ形状の樹脂製の部材である。供給スクリュ８の形状に沿ったＲ形状であることにより、供給スクリュ８全体を覆うようにブロック部材３の底面を全体的に供給スクリュ８に近接させることが可能になる。このため、現像剤の跳ね上げを起こす供給スクリュ８の上方を覆い、供給スクリュ８によって跳ね上げられた現像剤が現像剤排出口９４へ飛翔することを防止することができる。
【００４８】
また、図１１に示すように、供給搬送路９の現像剤排出口９４周辺でブロック部材３が突出した形状となっているため、ブロック部材３に対して供給スクリュ８の搬送方向上流側の供給搬送路９よりも、ブロック部材３を設けた箇所の供給搬送路が狭くなっている。このため、ブロック部材３を設けた位置に対して搬送方向上流側よりも、ブロック部材３を設けた位置の方が供給搬送路９の容量に対する現像剤量が多くなる。そのため、現像剤に対して搬送力の付与が無くなる供給搬送路９の搬送方向下流端部近傍で、ブロック部材３の側壁と、仕切り壁１３５との間に現像剤がせり上がる状態となる。これにより、供給スクリュ８が現像剤に埋まるような状態となり、供給スクリュ８の回転による現像剤の跳ね上げが抑えられるとともに、供給スクリュ８の羽部の上部が現像剤の剤面から出ているときに発生する供給スクリュの跳ね上げによる剤面の変化が現像剤排出口９４付近では緩和される。このため、現像装置４内の現像剤の増減に対して感度の良い排出が望めるようになる。
このようなブロック部材３を備えることで、現像剤の供給により嵩が上昇した場合、増加した分に相当する現像剤が現像剤排出口９４より溢れ出す構成となっている。
【００４９】
図１２及び図１３は、現像装置４内の現像剤量が少ない状態、すなわち、供給搬送路９の搬送方向下流端近傍の現像剤の嵩が所定の高さに到達していない状態の現像装置４の現像剤の流れを示す説明図である。図１２は、図２と同じ方向から見た供給搬送路９の搬送方向下流端近傍の現像装置４の断面説明図であり、図１３は、図５と同じ方向から見た側方断面説明図である。図中Ｐは現像剤を示す。
図１２及び図１３に示すように、現像装置４内の現像剤量が少ない場合は供給搬送路９から循環搬送路である攪拌搬送路１０への現像剤の供給がスムーズに行われる。その結果、供給搬送路９と攪拌搬送路１０との境界である供給循環仕切り壁である第一仕切り壁１３３に設けられた開口部である供給循環連通口としての余剰開口部９２で現像剤Ｐが溢れることが無い。このため、現像装置４外へ現像剤Ｐを排出する現像剤排出口９４へ現像剤はほとんど導かれず、現像剤量が少ない状態で現像剤が排出されることを防止することができる。
【００５０】
図１４及び図１５は現像装置４内の現像剤量が多い状態、すなわち、供給搬送路９の搬送方向下流端近傍の現像剤Ｐの嵩が所定の高さに越えた状態の現像装置４の現像剤Ｐの流れを示す説明図である。図１４は、図２と同じ方向から見た供給搬送路９の搬送方向下流端近傍の現像装置４の断面説明図であり、図１５は、図５と同じ方向から見た側方断面説明図である。
図１４及び図１５に示すように、現像装置４内の現像剤量が多い場合は、供給搬送路９から攪拌搬送路１０へ現像剤Ｐが移動する余剰開口部９２の近傍で現像剤Ｐが滞留してしまう。その結果、供給搬送路９の搬送方向最下流部の現像剤Ｐは行き場が無くなり上方向に嵩が上昇して行く。そして、現像剤排出口９４の高さまで嵩が上昇すると現像剤Ｐが排出搬送路２へと排出され、排出搬送路２内の排出搬送部材である排出搬送スクリュ２ａによって現像装置４の外部に排出されることになる。
【００５１】
現像装置４は、供給搬送路９の搬送方向下流端近傍の現像剤の嵩が現像剤排出口９４の高さを越えた場合に、現像剤排出口９４の高さまで到達した現像剤を排出するものであるので、現像剤排出口９４からの現像剤の排出によって供給搬送路９を搬送する現像剤が不足することを防止することができる。これにより、供給搬送路９から現像ローラ５へ必要量の現像剤を供給することができ、現像ローラ５から感光体１に安定した現像剤の供給を行うことができる。このため、感光体１上の静電潜像を良好にトナー像化することができ、画像抜けなどの異常画像の発生を防止し、良好な画像形成を行うことができる。
【００５２】
図１３では、現像装置４内の現像剤が少ない状態について説明したが、現像装置４内の現像剤が排出されず、現像剤量が安定した状態では、供給搬送路９の搬送方向下流端近傍に現像剤が滞留した状態となっている。以下、この状態の詳細について説明する。
現像装置４は、現像剤排出手段が、供給搬送路９の搬送方向下流端近傍の現像剤の嵩が所定の高さを越えた場合にその一部を排出する構成である。すなわち、現像剤排出手段である現像剤排出口９４及び排出搬送路２は、供給搬送路９の搬送方向下流端近傍の現像剤の嵩が、現像剤排出口９４の高さまで到達した現像剤を排出するものである。よって、供給搬送路９の搬送方向下流端近傍に、現像剤排出口９４の高さに到達しない程度の嵩で現像剤が存在する状態で現像装置４内の現像量が安定した状態となる。これは、供給搬送路９を搬送されその搬送方向下流端に到達する現像剤量と、供給搬送路９余剰開口部９２を通って攪拌搬送路１０に受け渡される現像剤量との均衡により、供給搬送路９の搬送方向下流端近傍に現像剤排出口９４の高さに到達しない程度の嵩で現像剤が滞留している状態である。
【００５３】
この状態からトナー補給制御装置によってプレミックストナーが供給されて現像装置４内の現像剤量が増加すると、供給搬送路９から攪拌搬送路１０に受け渡される現像剤量よりも、供給搬送路９を搬送されその搬送方向下流端に到達する現像剤量の方が多くなる。このとき、供給搬送路９の搬送方向下流端近傍に滞留する現像剤の量が増加し、その嵩が上昇する。これにより、滞留する現像剤の嵩が現像剤排出口９４に到達した場合に、その嵩が現像剤排出口９４の位置よりも低くなるように滞留する現像剤の一部として、現像剤排出口９４に到達した現像剤を排出する。
滞留する現像剤は飛び跳ねにくく、現像装置４内の現像剤量の増減に合わせて現像剤の嵩が変化する。そして、その嵩が所定の高さを越えたときに現像剤を排出することにより、現像装置４内の現像剤量が増加したときに増加量分の現像剤が排出されるため、現像装置４内の現像剤量を精度良く一定の範囲内に維持することができる。
これにより、供給搬送路９を搬送される現像剤量が安定するため、供給搬送路を搬送する現像剤が不足することを防止することができ、供給搬送路９から現像ローラ５へ必要量の現像剤を供給することができる。このため、現像ローラ５から感光体１に安定した現像剤の供給を行うことができ、感光体１上の静電潜像を良好にトナー像化することができるため、画像抜けなどの異常画像の発生を防止し、良好な画像形成を行うことができる。
【００５４】
現像装置４において、プレミックストナーが補給されたときの攪拌スクリュ１１による現像剤の搬送量の変化や攪拌搬送路１０から供給搬送路９への現像剤の受渡し量の変化によって現像剤の現像剤の動向は異なる。
例えば、プレミックストナーが補給された状態でも攪拌スクリュ１１による現像剤の搬送量があまり変化しない場合は、供給搬送路９の搬送方向上流側に供給される現像剤の量もあまり変化しない。また、攪拌搬送路１０から供給搬送路９へ現像剤を受け渡す構成が、図１２や図１３に示す状態で時間当りに受け渡せる量の上限に近い状態である場合も供給搬送路９の搬送方向上流側に供給される現像剤の量もあまり変化しない。これらの構成は、現像装置４内の現像剤量が増加することで攪拌搬送路１０内の現像剤量が増加し、攪拌搬送路１０内に時間当りに供給される現像剤量が増加する量に比べて、攪拌搬送路から供給搬送路９へと時間当りに移動する現像剤量の増加する量が少なくなる構成である。
【００５５】
このような構成の現像装置４では、プレミックストナーが補給されても、供給搬送路９を搬送される現像剤量も変化せず、供給搬送路９から現像ローラ５に供給される現像剤量も略一定であるので、供給スクリュ８によって時間当りに供給搬送路９の搬送方向下流端近傍に到達する現像剤の量もほとんど変化しない。
一方、攪拌搬送路１０の搬送量があまり変化しない場合は、トナー補給口９５からプレミックストナーが補給されると、増加した現像剤は攪拌搬送路１０の搬送方向上流端近傍で滞留する。また、攪拌搬送路１０から供給搬送路９への受渡し量が変化しない場合は、増加した分の現像剤は攪拌搬送路１０内で滞留し、搬送方向上流端近傍にも滞留する。
搬送方向上流端近傍に現像剤が滞留すると、供給搬送路９から攪拌搬送路１０へ現像剤を受け渡す余剰開口部９２を攪拌搬送路１０側で現像剤によって塞ぐ状態となる。余剰開口部９２が現像剤によって塞がれると供給搬送路９から攪拌搬送路１０への現像剤の移動ができなくなるが、供給スクリュ８によって現像剤が搬送され続けるため、供給搬送路９の搬送方向下流端近傍で現像剤が滞留し、その嵩は増加する。そして、供給搬送路９の搬送方向下流端近傍の現像剤の嵩が、現像剤排出口９４の高さまで上昇すると現像剤Ｐが排出搬送路２へと排出され、排出搬送路２を通って現像装置４の外部に排出される。
この構成では、攪拌搬送路１０内に現像剤が充満状態のときに、現像に用いられずに供給搬送路９の搬送方向の最下流まで搬送された余剰現像剤を攪拌搬送路１０に供給搬送する余剰開口部９２が現像剤で溢れる状態とすることにより、供給搬送路９から攪拌搬送路１０への現像剤の移動を規制することができその結果行き場を失った現像剤は現像剤排出口９４へと導かれ、現像剤を排出ことが可能となる。
このように、現像装置４内の現像剤量が増加しても攪拌搬送路１０から供給搬送路９へ時間当りに供給される現像剤量があまり変化しない構成であっても、供給搬送路９の搬送方向下流端に現像剤排出口９４を配置することにより、現像装置４内の現像剤の入れ替えを行うことができる。
【００５６】
また、プレミックストナーが補給されると、それに併せて供給搬送路９の搬送方向上流側に供給される現像剤の量が増加するが、供給搬送路９から攪拌搬送路１０への現像剤の受渡し量に上限があるものがある構成もある。この構成は、現像装置４内の現像剤量が増加することで供給搬送路９内の現像剤量が増加し、供給スクリュ８の搬送によって供給搬送路９の搬送方向下流端近傍に時間当りに搬送される現像剤量が増加する量に比べて、供給搬送路９の搬送方向下流端から攪拌搬送路１０へと時間当りに移動する現像剤量の増加する量が少なくなるように構成されている。
このような構成の現像装置４では、プレミックストナーが補給されると、現像剤の増化に合わせて攪拌搬送路１０の搬送量が増加し、攪拌搬送路１０から供給搬送路９への現像剤の受渡し量も増加する。これにより、供給搬送路９の搬送方向上流端部に供給される現像剤量が増加し、供給搬送路９内を搬送する現像剤量も増加する。しかし、供給搬送路９から現像ローラ５に供給される現像剤量は変化しないため、時間当りに供給搬送路９の搬送方向下流端近傍に到達する現像剤量は増加する。そして、時間当りに供給搬送路９の搬送方向下流端近傍に到達する現像剤量が、供給搬送路９から攪拌搬送路１０への現像剤の時間当りの受渡し量の上限を越えると、供給搬送路９の搬送方向下流端近傍で現像剤が滞留し、その嵩は増加する。そして、供給搬送路９の搬送方向下流端近傍の現像剤の嵩が、現像剤排出口９４の高さまで上昇すると現像剤Ｐが排出搬送路２へと排出され、排出搬送路２を通って現像装置４の外部に排出される。
このように、現像装置４内の現像剤量が増加すると攪拌搬送路１０から供給搬送路９へ時間当りに供給される現像剤量も増加する構成であっても、供給搬送路９の搬送方向下流端に現像剤排出口９４を配置することにより、現像装置４内の現像剤の入れ替えを行うことができる。
【００５７】
また、現像装置４内の現像剤量の変化によって現像剤の嵩が変化する箇所である供給搬送路９の搬送方向下流端近傍であふれた現像剤を、仕切り壁１３５に設けた現像剤排出口９４によって現像剤を排出する構成であるため、簡単な構成で精度よく現像装置４内の現像剤を入れ替えることができる。
また、供給搬送路９と循環搬送路である攪拌搬送路１０とが供給循環仕切り壁である第一仕切り壁１３３を挟んで、上下で隣り合うように配置され、供給搬送路９の搬送方向下流端に到達した現像剤は、供給搬送路９と攪拌搬送路１０とを連通するように設けられた開口である余剰開口部９２を通って、攪拌搬送路１０へ移動する構成である。そして、供給搬送路９の搬送方向下流端近傍の現像剤の嵩は、供給スクリュ８によってその下流端まで時間当りに搬送される現像剤量と、余剰開口部９２を時間当りに通過する現像剤量との差によって変化する。供給スクリュ８によって搬送される現像剤量または余剰開口部９２を時間当りに通過する現像剤量は、現像装置４内の現像剤量の変化によって変わり、現像装置４内の現像剤量が増加すると供給搬送路９の搬送方向下流端近傍の現像剤の嵩が上昇するため、簡単な構成で精度よく現像装置４内の現像剤を入れ替えることができる。
【００５８】
図４、図１３及び図１５に示すように、現像剤排出口９４と余剰開口部９２とが、供給搬送路９の現像剤搬送方向について同じ位置にあることにより、供給搬送路９から攪拌搬送路１０に受け渡す現像剤量と、現像装置４の外に排出する現像剤量のバランスをとることが容易となる。
また、現像剤排出口９４は余剰開口部９２よりも上方に配置されているため、現像装置４内の現像剤量が適正量である状態では、供給搬送路９の搬送方向下流端に到達した現像剤は、下方にある余剰開口部９２のみを通過し、攪拌搬送路１０に移動して現像装置４内を循環する。そして、現像装置４内の現像剤量が増加し、搬送方向下流端の現像剤の嵩が上方にある現像剤排出口９４の高さまで到達すると、その高さを越える現像剤が現像剤排出口９４を通過して、現像装置４の外部に排出される。この構成では、現像剤排出口９４は余剰開口部９２よりも上方に配置するという簡易な構成で、攪拌搬送路１０に供給すべき現像剤量が攪拌搬送路１０に供給されない状態で現像剤が現像装置４の外に排出されることを防止しつつ、現像装置４内の現像剤量が所定量を越えた場合は、装置の外に排出することができる。これにより、余剰開口部９２を介して現像剤を循環させつつ、現像剤排出口９４で増加した分の現像剤を精度良く排出して現像剤を入れ替える構成を実現することができる。
【００５９】
現像装置４は、供給搬送路９の搬送方向最下流端に、供給スクリュ８とは逆方向の搬送力を発生させる逆搬送部材として、逆スクリュ部８ａを備えている。逆スクリュ部８ａは、供給スクリュ８の回転軸の端部に供給スクリュ８の羽部とは逆巻きの羽部を取り付けたものである。
そして、供給スクリュ８が回転することにより、逆スクリュ部８ａでは供給スクリュ８とは逆方向の搬送力が発生する。これにより、供給スクリュ８の搬送によって現像剤排出口９４及び余剰開口部９２を配置した位置を通り過ぎた現像剤を、逆スクリュ部８ａによって現像剤排出口９４及び余剰開口部９２の位置に向かわせることができる。現像剤排出口９４及び余剰開口部９２を配置した位置を通り過ぎた現像剤が供給スクリュ８の搬送方向にさらに搬送されると、供給スクリュ８の回転軸の軸受に現像剤が入り込み、軸受を破損させるおそれがある。このような問題に対して、逆スクリュ部８ａを配置し、現像剤排出口９４及び余剰開口部９２を配置した位置を通り過ぎた現像剤を押し戻すことにより、軸受に現像剤が入り込むことを防止し、軸受の破損を防止することができる。
【００６０】
次に、逆スクリュ部８ａと供給搬送路９の搬送方向下流端の壁面との好適な位置関係について説明する。
図１６は本実施形態の現像装置４に適用可能な供給搬送路９の下流端近傍の拡大説明図である。
図１６に示すように、供給搬送部材である供給スクリュ８と逆搬送部材である逆スクリュ部８ａとの境界部に、供給搬送路９を形成するケーシングの内側の下流側の端面である下流側端面３９が位置するように配置する。下流側端面３９は、供給スクリュ８の搬送方向に垂直で、その法線方向が供給スクリュ８の搬送方向（図中矢印ｓ方向）とは反対方向となり、下流側端面３９よりも供給スクリュ８の搬送方向下流側へ現像剤が移動することを妨げるものである。
【００６１】
供給スクリュ８によって搬送された現像剤Ｔは、下流側端面３９によって搬送方向への移動が妨げられるため、その上流側で搬送力が低下し、下流側端面３９の近傍で供給スクリュ８の搬送方向への移動は停止したような状態となる。これは、現像剤の各粒子は供給スクリュ８や逆スクリュ部８ｂによって搬送力を付与され移動するものの、供給搬送路９内の現像剤全体の動きとしては下流側端面３９の近傍で停止した状態となっている。この搬送力が低下する箇所に供給搬送路９の搬送方向上流側から現像剤が搬送されてくるため、図１６に示すように下流側端面３９の上流側で現像剤が滞留し、下流側端面３９を伝って現像剤がせり上がる。そして、せり上がった現像剤のうち現像剤排出口９４の高さまで到達した現像剤が現像剤排出口９４を通って排出搬送路２に移動し、排出搬送路２内を搬送されて現像装置４の外へ排出される。
また、供給スクリュ８と逆スクリュ部８ａとの境界部は、搬送方向が正反対の現像剤の流れがぶつかる位置であるので、供給スクリュ８によって搬送された現像剤が壁面にぶつかる場合と同様に現像剤が上方にせり上がる。
このため、供給スクリュ８と逆スクリュ部８ａとの境界部と、下流側端面３９とを図１６のような位置関係にすることにより、下流端壁面３９を伝って現像剤がせり上がるのを補助し、現像剤排出口９４から現像剤を効率良く排出させることができるようになる。また、供給搬送路９の搬送方向下流端近傍でせり上がった現像剤が所定量の嵩を越えた場合に排出するものであるので、現像装置４内の現像剤量が増加していないにもかかわらず現像剤が排出されることを防止することができる。
【００６２】
また、供給スクリュ８のスクリュピッチよりも、逆スクリュ部８ａのスクリュピッチの方が狭くなるように設定する。
逆スクリュ部８ａは供給スクリュ８の軸部の現像装置４に対する位置決めをする軸受部８ｂに現像剤が入り込み、軸受部８ｂが損傷することを防止するものである。逆スクリュ部８ａのスクリュピッチが長すぎると羽部の傾斜が緩やかになり、供給スクリュ８の搬送力によって逆スクリュ部８ａまで到達した現像剤が、逆スクリュ部８ａの羽部をすり抜けて軸受部８ｂに到達し、損傷させるおそれがある。一方、逆スクリュ部８ａのスクリュピッチを供給スクリュ８のスクリュピッチよりも狭くすることにより、逆スクリュ部８ａの羽部が供給スクリュ８の羽部よりも軸部に対して垂直に近い状態となる。逆スクリュ部８ａの羽部を垂直に近い状態とすることにより、現像剤が軸受部８ｂに到達することをより確実に防止することができる。
【００６３】
供給搬送路９の下流側端部は、供給スクリュ８の搬送方向に対して垂直な壁面があれば、現像剤を滞留させることができ、現像剤が壁面に沿ってせり上がり、現像剤排出口９４から現像剤を排出することができる。そして、現像剤排出口９４から現像剤を排出する点のみを考えると、供給搬送路９の下流側端部は壁面であることが望ましい。しかし、現像剤が衝突する壁面に供給スクリュ８の軸受部８ｂを設けると上述したように、軸受部８ｂに現像剤が入り込み、軸受部８ｂを損傷するおそれがある。このため、逆スクリュ部８ａを設けているが、壁面の方がより確実に現像剤をせり上げることができるので、軸受部８ｂに現像剤が到達することを防止できるものであれば、逆スクリュ部８ａの外径は小さい方が望ましい。逆スクリュ部８ａの外径を小さくすることにより、逆スクリュ部８ａを設けた筒状の空間９ｅの径も小さくすることができ、下流側端面３９をより広く形成することができる。このため、逆スクリュ部８ａの外径を供給スクリュ８の外径よりも小さくすることで、下流側端面３９の下端がより低い位置となるように形成することができる。下流側端面３９の下端の位置を低くすることで、より効率よく現像剤をせり上げることができる。さらに、逆スクリュ部８ａの外径を小さくすることで筒状の空間９ｅも小さくすることができ、現像装置４の省スペース化を図ることができる。
【００６４】
また、図１６に示す現像装置４は、下流端壁面３９の上端は現像剤排出口９４の下端よりも上方にある。これにより、現像装置４内の現像剤量が増加したときに、現像剤が下流側壁面３９に沿ってせり上がって下流側壁面３９の上端に到達する前に現像剤排出口９４の下端に到達するため、確実に排出させることができる。
【００６５】
また、図１６に示す現像装置４は、現像剤排出口９４の搬送方向下流端の排出口下流端縁部９４ｅと、下流端壁面３９との供給搬送路９の現像剤搬送方向についての位置が一致する。この現像装置４では、現像剤排出口９４の排出口下流端縁部９４ｅでの仕切り壁１３５の厚み分の平面と、下流端壁面３９とが連続した平面として隙間なく形成されている。このため、下流端壁面３９をせり上がった現像剤はスムーズに現像剤排出口９４を通過することができる。
【００６６】
また、現像装置４は、図１６に示すように現像剤排出口９４の下端が、供給スクリュ８の羽部の上端よりも上方である。これにより、現像剤が滞留して現像剤排出口９４に到達する状態の現像剤が滞留している部分では、供給スクリュ８は現像剤に埋まった状態となるため、供給スクリュ８の回転によって現像剤が跳ね上がることを防止することができる。このため、現像装置４内の現像剤量が増加していないにもかかわらず現像剤が排出されることを防止することができる。
【００６７】
また、供給搬送路９、攪拌搬送路１０及び回収搬送路７を備える一方向循環の現像装置４では、供給搬送路９の搬送方向下流端に到達する現像剤は現像に寄与しなかった余剰現像剤である。一方向循環の現像装置４では、この余剰現像剤が滞留する位置で、プレミックストナーの補給によって増加した現像剤を排出することが適している。これは、以下の理由による。
回収搬送路７は、現像ローラ５に担持され現像領域を通過した現像剤を搬送するため、現像装置４内の現像剤量が変化しても回収搬送路７内を搬送される現像剤はほとんど変化せず、現像剤の嵩の上昇によって現像剤を排出することができない。
攪拌搬送路１０は、現像装置４内の現像剤量が増加すると、搬送する現像剤量が増加してその嵩も上昇する。しかし、搬送される現像剤の飛び跳ねや搬送量のムラによって、現像剤量が増加しなくても現像剤が排出され、供給搬送路９に必要量の現像剤を受け渡すことができなくなるおそれがある。このため、攪拌搬送路１０内での現像剤の嵩の上昇によって現像剤を排出することは不適である。さらに、供給搬送路９の途中で排出する構成も、現像装置４内の現像剤量が増加していなくても、現像剤の嵩が増加することがあり、排出した位置よりも搬送方向下流側で現像剤が不足するおそれがあるので不適である。
このような理由により、一方向循環の現像装置４では、供給搬送路９の搬送方向下流端に到達する現像剤が滞留する位置で、プレミックストナーの補給によって増加した分の現像剤を排出することが適している。
【００６８】
実施形態の現像装置４では、余剰開口部９２が現像剤排出口９４よりも大きな開口となっているが、現像剤排出口９４が余剰開口部９２よりも大きな開口としても良い。
また、上述の実施形態では、現像剤排出手段が、供給搬送路９の搬送方向下流端近傍の現像剤の嵩が所定の高さを越えた場合にその一部を排出する構成を図４に示す構成の現像装置４に適用した構成について説明した。本発明の特徴部を適用することができる構成は図４に示すものに限るものではなく、図６に示す構成の現像装置４に同様に適用することができる。
また、上述の実施形態では、現像剤として、キャリアとトナーとからなる二成分現像剤を用いる現像装置について説明した。本発明の特徴部を適用する現像装置としては、二成分現像剤を用いた現像装置に限るものではない。現像剤補給手段によって現像剤の補給が成され、現像装置内の現像剤の増加量分を現像剤排出手段によって排出する構成を備えた現像装置であれば一成分現像剤を用いる現像装置であっても適用可能である。
【００６９】
以上、本実施形態によれば、供給搬送路９の搬送方向下流端近傍の現像剤の嵩が現像剤排出口９４の高さを越えた場合に、現像剤排出口９４の高さまで到達した現像剤を、現像剤排出手段である現像剤排出口９４及び排出搬送路２によって現像装置４の外に排出するものであるので、現像剤排出口９４からの現像剤の排出によって供給搬送路９を搬送する現像剤が不足することを防止することができる。これにより、供給搬送路９から現像ローラ５へ必要量の現像剤を供給することができ、現像ローラ５から感光体１に安定した現像剤の供給を行うことができる。このため、感光体１上の静電潜像を良好にトナー像化することができ、画像抜けなどの異常画像の発生を防止し、良好な画像形成を行うことができる。
また、供給搬送路９の搬送方向下流端近傍の現像剤の嵩が現像剤排出口９４の高さを越えた現像剤を排出する構成であれば、現像装置４内の現像剤量が増加しても循環搬送路である攪拌搬送路１０から供給搬送路９へと移動する現像剤量はあまり変化せず、攪拌搬送路１０内の現像剤量が増加することによって、攪拌搬送路１０内で現像剤が滞留して余剰開口部９２を塞いで、供給搬送路９から攪拌搬送路１０への現像剤の移動を妨げる構成であっても現像装置４内の現像量の増加に応じて、現像剤の排出を行うことができる。
また、供給搬送路９の搬送方向下流端近傍の現像剤の嵩が現像剤排出口９４の高さを越えた現像剤を排出する構成であれば、現像装置４内の現像剤量が増加すると攪拌搬送路１０から供給搬送路９へと移動する現像剤量が増加し、供給搬送路９から余剰開口部９２を通って攪拌搬送路１０へと移動する現像剤量があまり変化しない構成であっても、現像装置４内の現像量の増加に応じて、現像剤の排出を行うことができる。
また、現像剤排出手段が、供給搬送路９の搬送方向下流側で仕切り壁１３５を挟んで供給搬送路９と隣り合うように配置され、供給搬送路９から排出された現像剤を搬送する排出搬送路２と、排出搬送路２と供給搬送路９とを連通するように仕切り壁に設けられた開口である現像剤排出口９４とから構成することにより、簡単な構成で精度よく現像装置４内の現像剤を入れ替えることができる。
また、供給搬送路９と攪拌搬送路１０とは、供給搬送路９の搬送方向下流側で供給循環仕切り壁である第一仕切り壁１３３を挟んで隣り合うように配置され、供給搬送路９の搬送方向下流端に到達した現像剤は、供給搬送路９と攪拌搬送路１０とを連通するように第一仕切り壁１３３に設けられた開口である供給循環連通口である余剰開口部９２を通って、攪拌搬送路１０へ移動する構成であり、供給スクリュ８によって搬送される現像剤量または余剰開口部９２を時間当りに通過する現像剤量は、現像装置４内の現像剤量の変化によって変わり、現像装置４内の現像剤量が増加すると供給搬送路９の搬送方向下流端近傍の現像剤の嵩が上昇するため、簡単な構成で精度よく現像装置４内の現像剤を入れ替えることができる。
また、現像剤排出口９４と余剰開口部９２とが、供給搬送路９の現像剤搬送方向について同じ位置にあることにより、供給搬送路９から攪拌搬送路１０に受け渡す現像剤量と、現像装置４の外に排出する現像剤量のバランスをとることが容易となる。
また、現像剤排出口９４は余剰開口部９２よりも上方に配置する簡易な構成で、現像剤排出口９４は余剰開口部９２よりも上方に配置するという簡易な構成で、攪拌搬送路１０に供給すべき現像剤量が攪拌搬送路１０に供給されない状態で現像剤が現像装置４の外に排出されることを防止しつつ、現像装置４内の現像剤量が所定量を越えた場合は、装置の外に排出することができる。これにより、余剰開口部９２を介して現像剤を循環させつつ、現像剤排出口９４で増加した分の現像剤を精度良く排出して現像剤を入れ替える構成を実現することができる。
また、供給搬送路９の搬送方向最下流端に、供給搬送部材である供給スクリュ８とは逆方向の搬送力を発生させる逆搬送部材としての逆スクリュ部８ａを備えることにより、供給スクリュ８の回転軸の軸受に現像剤が入り込むことを防止し、軸受の破損を防止することができる。
また、供給搬送部材である供給スクリュ８と逆搬送部材である逆スクリュ部８ａとの境界部に、供給スクリュ８の搬送方向に垂直で、且つ、その法線方向が供給スクリュ８の搬送方向と反対方向となり、現像剤の搬送方向への移動を妨げる下流端壁面３９を備えることにより、下流端壁面３９を伝って現像剤がせり上がるのを補助し、現像剤排出口９４から現像剤を効率良く排出させることができるようになる。さらに、供給搬送路９の搬送方向下流端近傍でせり上がった現像剤が所定量の嵩を越えた場合に排出するものであるので、現像装置４内の現像剤量が増加していないにもかかわらず現像剤が排出されることを防止することができる。
また、供給搬送部材及び逆搬送部材は、回転軸と回転軸に螺旋状に設けられた羽部とを備え、回転することにより回転軸方向に現像剤を搬送するスクリュ状の供給スクリュ８及び逆スクリュ部８ａであり、供給スクリュ８よりも逆スクリュ部８ａのスクリュピッチを短くしたことにより、供給スクリュ８と逆スクリュ部８ａとの軸部を受ける軸受部８ｂの損傷を防止することができる。
また、供給搬送部材及び逆搬送部材は、回転軸と回転軸に螺旋状に設けられた羽部とを備え、回転することにより回転軸方向に現像剤を搬送するスクリュ状の供給スクリュ８及び逆スクリュ部８ａであり、供給スクリュ８よりも逆スクリュ部８ａの羽部の外径を小さくしたことにより、下流側端面３９の下端の位置を低くすることができ、より効率よく現像剤をせり上げることができる。
また、現像剤排出手段は通過した現像剤が排出される現像剤排出口９４を供給搬送路９に備え、下流端壁面３９の上端が現像剤排出口９４の下端よりも上方であることによって、現像剤が下流側壁面３９に沿ってせり上がって下流側壁面３９の上端に到達する前に現像剤排出口９４の下端に到達するため、確実に排出させることができる。
また、現像剤排出手段は通過した現像剤が排出される現像剤排出口９４を供給搬送路９に備え、現像剤排出口９４の供給搬送路９の搬送方向下流端である排出口下流端縁部９４ｅの供給搬送路９の搬送方向についての位置と、下流端壁面３９の供給搬送路９の搬送方向についての位置とが一致することにより、現像剤排出口９４の排出口下流端縁部９４ｅでの仕切り壁１３５の厚み分の平面と、下流端壁面３９とを連続した平面として隙間なく形成することができる。このため、下流端壁面３９をせり上がった現像剤はスムーズに現像剤排出口９４を通過することができる。
また、現像剤排出手段は通過した現像剤が排出される現像剤排出口９４を供給搬送路９に備え、供給搬送部材は、回転軸と回転軸に螺旋状に設けられた羽部とを備え、回転することにより回転軸方向に現像剤を搬送するスクリュ状の供給スクリュ８であり、現像剤排出口９４の下端は、供給スクリュ８の羽部の上端よりも上方であることにより、供給スクリュ８が回転することで現像剤が跳ね上がることを防止し、現像装置４内の現像剤量が増加していないにもかかわらず現像剤が排出されることを防止することができる。
また、供給搬送路９、攪拌搬送路１０及び回収搬送路７を備える一方向循環の現像装置４の、供給搬送路９の搬送方向下流端に到達する現像剤が滞留する位置で現像剤を排出することにより、プレミックストナーの補給によって増加した分の現像剤を適切に排出することができる。
また、画像形成装置としての複写機の現像手段として、現像装置４を備えることにより、現像剤を入れ替えることで現像手段の寿命を延ばしつつ、画像抜けなどの異常画像の発生を防止し、良好な画像形成を行うことができる。
【００７０】
〔変形例１〕
なお、上述した実施形態の現像装置４は、供給搬送路９を攪拌搬送路１０及び回収搬送路７よりも上方に設けた構成である。図４のように現像装置４の上部の省スペース化を図る構成を適用可能な現像装置４はこの構成に限るものではない。以下、変形例１として、供給搬送路９、攪拌搬送路１０及び回収搬送路７からなる３つの現像剤搬送路を略同じ高さに設けた現像装置について説明する。なお、現像装置４の形状以外は実施形態と共通するので、相違点である現像装置４についてのみ説明する。
【００７１】
図１７は変形例１にかかる現像装置４の概略構成図である。
図１７に示すように感光体１は図中矢印Ｇ方向に回転しながら、その表面をスコロトロンチャージャ１０３により帯電される。帯電された感光体１の表面は不図示の露光装置より照射されたレーザ光Ｌにより静電潜像を形成された潜像に現像装置４からトナーを供給され、トナー像を形成する。
【００７２】
現像装置４は、図中矢印Ｉ方向に表面移動しながら感光体１の表面の潜像にトナーを供給し、現像する現像剤担持体としての現像ローラ５を有している。また、現像ローラ５に現像剤を供給しながら図１７の奥方向に現像剤を搬送する供給搬送部材としての供給スクリュ８を有している。
現像ローラ５の供給スクリュ８との対向部から表面移動方向下流側には、現像ローラ５に供給された現像剤を現像に適した厚さに規制する現像剤規制部材としての現像ドクタ１２を備えている。
現像ローラ５の感光体１との対向部である現像部から表面移動方向下流側には、現像部を通過した現像済みの現像剤を回収し、回収した回収現像剤を供給スクリュ８と同方向に搬送する回収搬送部材としての回収スクリュ６を備えている。供給スクリュ８を備えた供給搬送路９と回収スクリュ６を備えた回収搬送路７とは現像ローラ５の下方に並設されている。供給搬送路９と回収搬送路７との２つの搬送路は仕切り部材としての第二仕切り壁１３４によって仕切られている。
【００７３】
現像装置４は、供給搬送路９の回収搬送路７の反対側に並列して、攪拌搬送路１０を設けている。攪拌搬送路１０は、現像剤を攪拌しながら供給スクリュ８とは逆方向である図中手前側に搬送する攪拌搬送部材としての攪拌スクリュ１１を備えている。供給搬送路９と攪拌搬送路１０とは仕切り部材としての第一仕切り壁１３３によって仕切られている。第一仕切り壁１３３の図中手前側と奥側との両端は開口部となっており、供給搬送路９と攪拌搬送路１０とが連通している。供給搬送路９内に供給され現像に用いられず供給搬送路９の搬送方向下流端まで搬送された余剰現像剤と、回収スクリュ６によって回収搬送路７の搬送方向下流端まで搬送された回収現像剤とは攪拌搬送路１０に供給される。攪拌搬送路１０は、供給された余剰現像剤と回収現像剤とを攪拌し、攪拌スクリュ１１の搬送方向下流側に搬送する。そして、第一仕切り壁１３３に設けられた供給開口部より供給スクリュ８の搬送方向上流側の供給搬送路９内に現像剤を供給する。
【００７４】
第二仕切り壁１３４には回収スクリュ６の搬送方向最下流側である図中奥方向の端が開口部となっており、供給搬送路９と回収搬送路７とが連通している。回収スクリュ６の搬送方向下流端と、供給スクリュ８の搬送方向下流端と、攪拌スクリュ１１の搬送方向上流端とで３つの搬送路が連通している。
そして、回収搬送路７の搬送方向下流端まで搬送された回収現像剤は供給搬送路９に移送される。また、回収現像剤と供給スクリュ８で搬送される現像ローラ５に供給されなかった現像剤は、連通している攪拌搬送路１０に移送される。
攪拌搬送路１０では攪拌スクリュ１１によって、回収現像剤、余剰現像剤及び移送部で必要に応じて補給されるトナーを、回収搬送路７及び供給搬送路９の現像剤と逆方向に攪拌搬送する。そして、搬送方向下流側で連通している供給搬送路９の搬送方向上流側に攪拌された現像剤を移送する。なお、攪拌搬送路１０の下方には、トナー濃度センサ１２７が設けられ、センサ出力によりトナー補給制御装置（図示せず）を作動し、不図示のトナーボトルから移送部へのトナー補給を行っている。
現像装置４のケーシングは３つの搬送スクリュの軸部で上下に分かれる一体成型された下ケーシング１１２及び上ケーシング１１３からなる。第一仕切り壁１３３は下ケーシング１１２の一部であり、第二仕切り壁１３４は、上ケーシング１１３に保持され、下ケーシング１１２と勘合する。
なお、上述のトナー補給制御装置として、公知のモーノポンプを用いる方式のものが採用できる。この方式によればトナーカートリッジの設置場所の制約が少ないため、画像形成装置内部のスペース配分に対し有利である。またトナーを適時補給できるため、現像装置４に大きなトナー貯留スペースを設けなくてすみ、現像装置４の小型化がはかれる。
【００７５】
図１７に示すように、供給部材の最上部である供給スクリュ８のスクリュ頂点１１４が現像ローラ５の回転中心１１５よりも下方になるように配置されている。現像装置４では現像ローラ５の回転中心１１５とスクリュ頂点１１４とを結んだ直線と、回転中心１１５を通る水平な直線との角度θ１を３０［°］に設定した。この角度θ１は供給スクリュ８の直径にも左右されるが、現像装置４の小型化からレイアウト上１０［°］〜４０［°］が望ましい。
現像ローラ５への現像剤の供給は現像ローラ５内に設けられた磁極が現像剤中の磁性キャリアをひきつけることによって行われる。上述のように、スクリュ頂点１１４が現像ローラ５の回転中心１１５よりも下方となるように配置することにより、現像剤の自重が現像ローラ５への現像剤の供給量に影響せず、磁力の大きさが現像剤の供給量に寄与する。これにより、供給搬送路９で搬送される現像剤の上部から確実に供給されるため、供給スクリュ８の搬送方向で供給搬送路９内の現像剤の嵩が均一でなくても、現像ローラ５に適正な量の現像剤を供給することができる。
【００７６】
従来の３つの現像剤搬送路を同じ高さに設けた現像装置では、攪拌搬送路１０から供給搬送路９に現像剤を受け渡す供給開口部を現像領域幅よりも外側に設けていた。これにより、攪拌搬送路１０及び供給搬送路９が、現像ローラ５及び回収搬送路７に比べて供給搬送路９の搬送方向上流端部が突き出した状態となっていた。
変形例１の現像装置４では、供給開口部を現像領域幅内に設けているので、現像ローラ５及び回収搬送路７に比べて攪拌搬送路１０及び供給搬送路９が突き出していた部分がなくなり、現像装置４の省スペース化を図ることが出来る。
また、変形例１の現像装置４のように、回収搬送路７、攪拌搬送路１０、及び供給搬送路９を略同じ高さに設けることにより、現像剤にかかるストレスを軽減し、現像剤の長寿命化を図ることができる。すなわち、３つの現像剤搬送経路を同じ高さに設けることにより、現像剤搬送経路内で現像剤を上方に持ち上げる必要がないため、現像剤に与えるストレスを軽減することができる。これにより、現像剤の劣化を抑制し、安定した画像品質を維持することができるようになる。
【００７７】
〔変形例２〕
上述の実施形態では、供給搬送路９の搬送方向下流端近傍に供給搬送路９の搬送方向下流端近傍に現像剤排出口９４を配置して、供給搬送路９の搬送方向下流端近傍の現像剤が所定量の嵩を越えた場合にその一部を排出する構成である。現像剤排出口９４の位置としては供給搬送路９の下流端近傍に限るものではない。
供給搬送路９、攪拌搬送路１０及び回収搬送路７を含む現像剤搬送路中の規制位置を通過する現像剤量を規制する現像剤搬送量規制手段を備え、現像剤搬送量規制手段によって規制され、滞留した現像剤の量が所定量を越えた場合に現像剤排出口９４から現像剤が排出されるように、現像剤排出口９４を配置すればよい。現像剤搬送量規制手段としては、一つの搬送路の途中に搬送路を狭めて通過量を規制する搬送量規制部材や、余剰開口部９４などが上げられる。
上述の実施形態では余剰開口部９２が現像剤搬送量規制手段として作用し、余剰開口部９２の大きさによって余剰開口部９２を通過して、供給搬送路９から攪拌搬送路１０への受け渡される現像剤量が規制される。この受渡しのときに規制され供給搬送路９の搬送方向下流端近傍に滞留した現像剤が、所定量を越えて、所定の高さを越えたときに現像剤排出口９４から所定量となるように排出が成される。
【００７８】
以下、変形例２として、現像剤排出口９４を供給搬送路９の下流端近傍以外の箇所に設けた構成について説明する。
図１８は、一つの搬送路の途中に搬送路を狭めて通過量を規制する規制部材として、供給搬送路９の途中に搬送量規制壁４８を設けた変形例２の構成の模式図である。
図１８に示す供給搬送路９では、搬送量規制壁４８の下端部である規制部材先端部４８ａと供給搬送路９の底面９ａとの間が供給搬送路９の他の位置よりも断面積が狭く、現像剤の通過量を規制する規制部を形成している。そして、規制部を時間当りに通過できる現像剤の量よりも多くの現像剤が搬送量規制壁４８の上流側に到達すると、規制部を通過できる現像剤量を越えた分の現像剤は規制部を通過することができず、規制部の上流側で滞留する。搬送量規制壁４８は現像剤排出口９４の下流に供給搬送路９の上面から壁が突出した形状となっており、搬送量規制壁４８で規制された分の現像剤が搬送量規制壁４８の壁面の上流側に滞留する。そして、現像装置４内の現像剤量が増加することでこの規制部の上流側で滞留する現像剤量が増加し、現像剤排出口９４に到達する現像剤量となったときに現像剤が排出され始める。現像剤排出口９４は、滞留した現像剤の嵩が設定された量となったときに排出されるように配置する高さや、開口の大きさが規定されている。
このように、搬送量規制部材４８が規制して滞留した現像剤が現像剤排出口９４から排出されるように現像剤排出口９４の高さや幅を設定することにより、規制位置の近傍では現像剤排出口９４の高さまで到達しない程度の現像剤が存在する状態で現像装置４内の現像剤量が安定した状態となる。また、滞留する現像剤は現像剤が常に移動している箇所の現像剤よりも飛び跳ねにくいので、滞留した箇所の現像剤量は現像装置４内の現像剤量の増減に合わせて適正に変化する。このため、滞留した現像剤を排出するものである変形例２では現像装置４内の現像剤量の必要量を確保することができる。
変形例２では、搬送量規制部材４８を供給搬送路８の途中に設ける構成について説明したが、搬送量規制部材４８を設ける位置としてはこれに限らず、現像装置４内の現像剤量の増減に応じて、搬送する現像剤の嵩の高さが変化する箇所であればよい。
【図面の簡単な説明】
【００７９】
【図１】本実施形態に係る複写機の概略構成図。
【図２】現像装置及び感光体の概略構成図。
【図３】現像剤の流れを説明する現像装置の斜視断面図。
【図４】現像装置内の現像剤の流れの模式図。
【図５】現像装置の断面説明図。
【図６】図４とは異なる形状の現像装置内の現像剤の流れの模式図。
【図７】現像装置の外観斜視図。
【図８】現像装置から攪拌スクリュ、回収スクリュ、及び、現像ドクタを取り外した状態の手前側端部近傍の斜視説明図。
【図９】図８に示す現像装置から供給スクリュを取り外した状態の手前側近傍の斜視説明図。
【図１０】図９に示す現像装置から現像ローラを取り外した状態の手前側近傍の斜視説明図。
【図１１】図１０に示す現像装置を図１０とは異なる方向から見た斜視説明図。
【図１２】現像剤量が少ない状態の現像装置の断面説明図。
【図１３】現像剤量が少ない状態の現像装置の側方断面説明図。
【図１４】現像剤量が多い状態の現像装置の断面説明図。
【図１５】現像剤量が多い状態の現像装置の側方断面説明図。
【図１６】本実施形態の現像装置に適用可能な供給搬送路の下流端近傍の拡大説明図。
【図１７】変形例１にかかる現像装置及び感光体の概略説明図。
【図１８】供給搬送路に搬送量規制壁を設けた変形例２の模式図。
【符号の説明】
【００８０】
１      感光体
２      排出搬送路
２ａ    排出搬送スクリュ
４      現像装置
５      現像ローラ
６      回収スクリュ
７      回収搬送路
８      供給スクリュ
８ａ    逆スクリュ部
９      供給搬送路
１０    攪拌搬送路
１１    攪拌スクリュ
１２    現像ドクタ
１４    張架ローラ
１５    駆動ローラ
１６    二次転写バックアップローラ
１７    中間転写ユニット
１８    プロセスカートリッジ
２０    画像形成ユニット
２１    光書込ユニット
２２    二次転写装置
２３    張架ローラ
２４    紙搬送ベルト
２５    定着装置
２６    定着ベルト
２７    加圧ローラ
９０    ベルトクリーニング装置
９１    供給開口部
９２    余剰開口部
９３    回収開口部
９４    現像剤排出口
９５    トナー補給口
１００  プリンタ部
１１０  中間転写ベルト
１３３  第一仕切り壁
１３４  第二仕切り壁
１３５  仕切り壁
【図１】
2008203814.tif 000003
【図２】
2008203814.tif 000004
【図３】
2008203814.tif 000005
【図４】
2008203814.tif 000006
【図５】
2008203814.tif 000007
【図６】
2008203814.tif 000008
【図７】
2008203814.tif 000009
【図８】
2008203814.tif 000010
【図９】
2008203814.tif 000011
【図１０】
2008203814.tif 000012
【図１１】
2008203814.tif 000013
【図１２】
2008203814.tif 000014
【図１３】
2008203814.tif 000015
【図１４】
2008203814.tif 000016
【図１５】
2008203814.tif 000017
【図１６】
2008203814.tif 000018
【図１７】
2008203814.tif 000019
【図１８】
2008203814.tif 000020